(57)【要約】  本開示の態様は、医療的イベントの間の臨床データの受け渡しのためのシステム、方法、及び装置に関する。本開示の特定の実施形態は、医療的イベントの第１部分の間に患者をモニタリングして臨床情報を格納するよう構成される第１の医療機器と、第２の医療機器とを含む。第２の医療機器は、臨床情報のうちの少なくとも一部を表示し、第２の医療機器のオペレーションを変更し、又は、臨床情報を格納し得る。
2018509995.tif 000002
【特許請求の範囲】
【請求項１】
臨床データの受け渡しのためのシステムであって、前記システムは、
医療的イベントの第１部分の間に、患者をモニタリングし、第１の臨床情報を格納する第１の医療機器と、
第２の医療機器であって、前記医療的イベントの第２部分の間に、前記患者をモニタリングし、前記患者に関する第２の臨床情報を格納する前記第２の医療機器と、
制御モジュールであって、
前記第１の医療機器及び前記第２の医療機器が前記医療的イベントの間に同じ患者に対して使用される、というインディケーションを受信し、前記インディケーションに基づいて、前記第２の医療機器による前記第１の臨床情報へのアクセスを確立する結果、前記第２の医療機器が、前記医療的イベントの間に、
（ａ）前記第１の臨床情報のうちの少なくとも一部を前記第２の医療機器上に表示すること、
（ｂ）前記第１の臨床情報のうちの少なくとも一部から導き出された情報を前記第２の医療機器上に表示すること、
（ｃ）前記第１の臨床情報に基づいて前記第２の医療機器のオペレーションを変更すること、及び、
（ｄ）前記第１の臨床情報を前記第２の医療機器又は遠隔データベースに格納すること
のうちの１又は複数を実行することを可能にする制御モジュールと
を備える、システム。
【請求項２】
前記第１の医療機器は前記第１の臨床情報を第１のメモリに格納し、前記第２の医療機器は前記第２の臨床情報を第２のメモリに格納し、前記制御モジュールは更に、前記インディケーションに基づいて、前記第２の医療機器による前記第１のメモリへのアクセスを確立する、請求項１に記載のシステム。
【請求項３】
前記第１のメモリ及び前記第２のメモリは同じメモリ機器の一部である、請求項２に記載のシステム。
【請求項４】
前記医療的イベントの前記第２部分は、前記医療的イベントの前記第１部分の後に発生する、請求項１から３のいずれか１項に記載のシステム。
【請求項５】
前記制御モジュールは更に、前記第１の医療機器及び前記第２の医療機器が近接して配置されていることを判定すると、前記第２の医療機器によるアクセスを確立する、請求項１から４のいずれか１項に記載のシステム。
【請求項６】
前記制御モジュールは更に、第１の医療機器及び第２の医療機器の一方又は両方を確認するよう誘導し、前記誘導は、鍵コード、可視ビーコン、可視光、可聴誘導、及び、患者特有の入力のうちの少なくとも１つを含む、請求項１から５のいずれか１項に記載のシステム。
【請求項７】
前記制御モジュールは更に、無線周波数信号を交換すると、前記第１の医療機器及び前記第２の医療機器が近接して配置されていることを判定する、請求項１から６のいずれか１項に記載のシステム。
【請求項８】
前記制御モジュールは更に、前記第１の医療機器及び前記第２の医療機器のそれぞれからグローバルポジショニングシステム（ＧＰＳ）信号を受信すると、前記第１の医療機器及び前記第２の医療機器が近接して配置されていることを判定する、請求項１から７のいずれか１項に記載のシステム。
【請求項９】
前記制御モジュールは更に、共有ローカルエリアネットワーク（ＬＡＮ）に接続されている前記第１の医療機器及び前記第２の医療機器のそれぞれに応答して、前記第１の医療機器及び前記第２の医療機器が近接して配置されていることを判定する、請求項１から８のいずれか１項に記載のシステム。
【請求項１０】
前記制御モジュールは更に、前記第１の臨床情報と、前記第２の医療機器を使用して処置されている患者の身元識別情報、前記患者又は前記第２の医療機器の場所、時間、介護福祉士の身元識別情報、及び、前記第２の医療機器により集められた第２の臨床情報、に列挙する項目のうちの１つ又はそれらの組み合わせに関する情報との間の相関性を判定すると、前記第２の医療機器による前記第１の臨床情報へのアクセスを確立する、請求項１から９のいずれか１項に記載のシステム。
【請求項１１】
前記第１のメモリは前記第１の医療機器上に設けられ、前記第２のメモリは前記第２の医療機器上に設けられる、請求項２に記載のシステム。
【請求項１２】
前記第１のメモリ及び前記第２のメモリのうちの少なくとも１つは、ネットワーク内にある前記第１の医療機器及び前記第２の医療機器から遠く離して配置され、前記第１の医療機器及び前記第２の医療機器は、前記ネットワークを介して無線で通信可能に結合されている、請求項２に記載のシステム。
【請求項１３】
前記第１の医療機器及び前記第２の医療機器は、臨床情報を直接転送し、前記制御モジュールは更に、前記インディケーションに基づいて、前記第２の医療機器による前記第１の医療機器への機器同士の直接アクセスを確立する結果、前記第２の医療機器が前記第１の臨床情報へアクセスすることを可能とする、請求項１から１２のいずれか１項に記載のシステム。
【請求項１４】
前記医療的イベントは救急医療イベントである、請求項１から１３のいずれか１項に記載のシステム。
【請求項１５】
前記第１の臨床情報は、前記医療的イベントの前記第１部分の間の患者への心肺蘇生法（ＣＰＲ）の実施について詳述する、請求項１から１４のいずれか１項に記載のシステム。
【請求項１６】
前記第１の臨床情報のうちの少なくとも一部から導き出された前記情報は、ＣＰＲ品質のインディケーションを含む、請求項１から１５のいずれか１項に記載のシステム。
【請求項１７】
前記ＣＰＲ品質のインディケーションは、胸部圧迫メトリックのインディケーションを含む、請求項１６に記載のシステム。
【請求項１８】
前記第１の臨床情報のうちの少なくとも一部から導き出された前記情報は、ＣＰＲ時間のインディケーションを含む、請求項１から１７のいずれか１項に記載のシステム。
【請求項１９】
前記ＣＰＲ時間のインディケーションは、ＣＰＲ実施の開始時間、ＣＰＲ実施の終了時間、ＣＰＲ実施の継続期間、及び、胸部圧迫タイミングのうちの１又は複数を含む、請求項１８に記載のシステム。
【請求項２０】
前記医療的イベントの間、前記第１の医療機器及び第２の医療機器が同じ患者に対して使用されるという前記インディケーションは、前記第１の医療機器及び前記第２の医療機器の一方又は両方の認証に基づく、請求項１から１９のいずれか１項に記載のシステム。
【請求項２１】
前記認証は、集中型認証局に少なくとも部分的に基づく、請求項２０に記載のシステム。
【請求項２２】
臨床データの受け渡しのためのシステムであって、
通信可能にネットワークに結合されているサーバ機器であって、前記サーバ機器は、メモリ、及び前記メモリと通信可能に結合されるプロセッサを有し、前記メモリは、前記プロセッサにより実行された場合、前記プロセッサに少なくとも１つのコンポーネントを開始させる命令を含み、前記少なくとも１つのコンポーネントは、
通信コンポーネントであって、医療的イベントの間、第１の医療機器及び第２の医療機器との通信を容易にし、前記第１の医療機器から第１の臨床情報を受信し、前記医療的イベントの間に前記第２の医療機器上で、
（ａ）前記第２の医療機器上に前記第１の臨床情報のうちの少なくとも一部を表示すること、
（ｂ）前記第２の医療機器上に前記第１の臨床情報のうちの少なくとも一部から導き出された情報を表示すること、
（ｃ）前記第１の臨床情報に基づいて前記第２の医療機器のオペレーションを変更すること、及び、
（ｄ）前記第２の医療機器又は遠隔データベースに前記第１の臨床情報を格納すること、
のうちの１又は複数を実行すること
を含む通信コンポーネントとを含む、
サーバ機器と、
ユーザと前記通信コンポーネントとの間のインタラクションを容易にする、グラフィカルユーザインターフェース（ＧＵＩ）と
を備える、システム。
【請求項２３】
無線ローカルエリアネットワーク（ＷＬＡＮ）を更に備え、前記第１の医療機器及び前記第２の医療機器は前記ＷＬＡＮを介して通信可能に結合されている、請求項２２に記載のシステム。
【請求項２４】
前記第１の医療機器及び前記第２の医療機器のうちの１つはまた、前記ＷＬＡＮを介して通信を提供する、請求項２３に記載のシステム。
【請求項２５】
前記第１の医療機器及び前記第２の医療機器のうちの前記１つはまた、前記サーバ機器である、請求項２４に記載のシステム。
【請求項２６】
前記第１の医療機器及び前記第２の医療機器のうちの前記１つはまた、前記ＷＬＡＮ上の通信ルータである、請求項２４又は２５に記載のシステム。
【請求項２７】
前記第１の医療機器及び前記第２の医療機器のうちの１つは、医療情報を表示する携帯型コンピューティング機器である、請求項２２から２６のいずれか１項に記載のシステム。
【請求項２８】
前記携帯型コンピューティング機器は、ｉＰａｄ（登録商標）、携帯電話、スマートフォン、又は、ｉＷａｔｃｈ（登録商標）である、請求項２７に記載のシステム。
【請求項２９】
前記第１の医療機器及び前記第２の医療機器のうちの少なくとも１つは、身体に装着されている、請求項２２から２８のいずれか１項に記載のシステム。
【請求項３０】
前記ＷＬＡＮは動的に再構成可能であり、安全である、請求項２４から２６のいずれか１項に記載のシステム。
【請求項３１】
前記第１の臨床情報は、前記医療的イベントの間の患者への心肺蘇生法（ＣＰＲ）の実施について詳述する、請求項２２から３０のいずれか１項に記載のシステム。
【請求項３２】
前記第１の臨床情報のうちの少なくとも一部から導き出された前記情報は、ＣＰＲ品質のインディケーションを含む、請求項３１に記載のシステム。
【請求項３３】
前記ＣＰＲ品質のインディケーションは、胸部圧迫メトリックのインディケーションを含む、請求項３２に記載のシステム。
【請求項３４】
前記第１の臨床情報のうちの少なくとも一部から導き出された前記情報は、ＣＰＲ時間のインディケーションを含む、請求項３１から３３のいずれか１項に記載のシステム。
【請求項３５】
前記ＣＰＲ時間のインディケーションは、ＣＰＲ実施の開始時間、ＣＰＲ実施の終了時間、ＣＰＲ実施の継続期間、及び、胸部圧迫タイミングのうちの１又は複数を含む、請求項３４に記載のシステム。
【請求項３６】
前記第１の臨床情報は、患者が心停止になる前に観察された患者ＥＣＧを含む、請求項２２から３５のいずれか１項に記載のシステム。
【請求項３７】
前記第１の臨床情報は、前記第１の医療機器により、患者に電気ショックが実施された後に観察される患者ＥＣＧを含む、請求項２２から３６のいずれか１項に記載のシステム。
【請求項３８】
前記通信コンポーネントは更に、前記第１の医療機器及び前記第２の医療機器が近接して配置されていることを判定すると、前記第１の医療機器及び前記第２の医療機器との通信を容易にする、請求項２２から３７のいずれか１項に記載のシステム。
【請求項３９】
前記通信コンポーネントは更に、前記第１の医療機器及び前記第２の医療機器の一方又は両方を確認するよう誘導し、また、前記誘導は、鍵コード、可視ビーコン、可視光、可聴誘導、及び、患者特有の入力のうちの少なくとも１つを含む、請求項３８に記載のシステム。
【請求項４０】
前記通信コンポーネントは更に、無線周波数信号を交換すると、前記第１の医療機器及び前記第２の医療機器が近接して配置されていることを判定する、請求項３８又は３９に記載のシステム。
【請求項４１】
前記通信コンポーネントは更に、前記第１の医療機器及び前記第２の医療機器のそれぞれからグローバルポジショニングシステム（ＧＰＳ）信号を受信すると、前記第１の医療機器及び前記第２の医療機器が近接して配置されていることを判定する、請求項３８から４０のいずれか１項に記載のシステム。
【請求項４２】
前記通信コンポーネントは更に、前記第１の医療機器及び前記第２の医療機器のそれぞれが共有ローカルエリアネットワーク（ＬＡＮ）に接続されていることに応答して、前記第１の医療機器及び前記第２の医療機器が近接して配置されていることを判定する、請求項３８から４１のいずれか１項に記載のシステム。
【請求項４３】
前記通信コンポーネントは更に、前記第１の臨床情報と、前記第２の医療機器を使用して処置されている患者の身元識別情報、前記患者又は前記第２の医療機器の場所、時間、介護福祉士の身元識別情報、及び、前記第２の医療機器により集められた第２の臨床情報、に列挙する項目のうちの１つ又はそれらの組み合わせに関する情報との間の相関性を判定すると、前記第１の医療機器及び前記第２の医療機器との通信を容易にする、請求項２２から４２のいずれか１項に記載のシステム。
【請求項４４】
前記医療的イベントは救急医療イベントである、請求項２２から４３のいずれか１項に記載のシステム。
【請求項４５】
前記通信コンポーネントは更に、前記第１の医療機器及び前記第２の医療機器の一方又は両方を認証する、請求項２２から４４のいずれか１項に記載のシステム。
【請求項４６】
前記認証は集中型認証局に少なくとも部分的に基づく、請求項４５に記載のシステム。
【請求項４７】
臨床データの受け渡しのためのシステムであって、
患者モニタリング除細動器であって、前記患者モニタリング除細動器は二次救命処置機器であって、前記患者モニタリング除細動器は、医療的イベントの間に自動体外式除細動器、呼吸補助機器、及び自動胸部圧迫機器のうちの１又は複数により記録された臨床データを、前記医療的イベントの間に受信し、
（ａ）前記患者モニタリング除細動器上に前記臨床データのうちの少なくとも一部を表示すること、
（ｂ）前記臨床データのうちの少なくとも一部から導き出された情報を前記患者モニタリング除細動器上に表示すること、
（ｃ）前記臨床データに基づいて前記患者モニタリング除細動器のオペレーションを変更すること、及び、
（ｄ）前記患者モニタリング除細動器に前記臨床データを格納すること、
のうちの１又は複数を、前記医療的イベントの間に実行する通信モジュールを含む、患者モニタリング除細動器
を備える、
システム。
【請求項４８】
前記患者モニタリング除細動器及び前記自動体外式除細動器は、前記患者モニタリング除細動器及び前記自動体外式除細動器の一方又は両方の確認を介して、ペアリングする、請求項４７に記載のシステム。
【請求項４９】
前記患者モニタリング除細動器及び前記自動体外式除細動器は、前記患者モニタリング除細動器及び前記自動体外式除細動器が近接して配置されていることを判定すると、自動的にペアリングする、請求項４７又は４８に記載のシステム。
【請求項５０】
前記患者モニタリング除細動器及び前記自動体外式除細動器は、無線周波数信号を交換すると、前記患者モニタリング除細動器及び前記自動体外式除細動器が近接して配置されていることを判定する、請求項４９に記載のシステム。
【請求項５１】
前記患者モニタリング除細動器及び前記自動体外式除細動器は、前記患者モニタリング除細動器及び前記自動体外式除細動器のそれぞれからグローバルポジショニングシステム（ＧＰＳ）の信号を受信すると、前記患者モニタリング除細動器及び前記自動体外式除細動器が近接して配置されていることを判定するよう構成される、請求項４９又は５０に記載のシステム。
【請求項５２】
前記患者モニタリング除細動器及び前記自動体外式除細動器は、共有ローカルエリアネットワーク（ＬＡＮ）に接続されている前記患者モニタリング除細動器及び前記自動体外式除細動器のそれぞれに応答して、前記患者モニタリング除細動器及び前記自動体外式除細動器が近接して配置されていることを判定する、請求項４９から５１のいずれか１項に記載のシステム。
【請求項５３】
前記患者モニタリング除細動器及び前記自動体外式除細動器は、ネットワークを介して無線で通信可能に結合されている、請求項４７から５２のいずれか１項に記載のシステム。
【請求項５４】
前記患者モニタリング除細動器及び前記自動体外式除細動器は、無線で通信可能に結合され、前記患者モニタリング除細動器及び前記自動体外式除細動器間における臨床情報の機器同士の直接転送を提供する、請求項４７から５３のいずれか１項に記載のシステム。
【請求項５５】
前記医療的イベントは救急医療イベントである、請求項４７から５４のいずれか１項に記載のシステム。
【請求項５６】
前記臨床データは、前記医療的イベントの間の患者への心肺蘇生法（ＣＰＲ）の実施について詳述する、請求項４７から５５のいずれか１項に記載のシステム。
【請求項５７】
第１の臨床情報のうちの少なくとも一部から導き出された前記情報は、ＣＰＲ品質のインディケーションを含む、請求項５６に記載のシステム。
【請求項５８】
前記臨床データは第１の臨床データであり、前記通信モジュールは更に、前記第１の臨床データと、前記患者モニタリング除細動器を使用して処置されている患者の身元識別情報、前記患者又は前記患者モニタリング除細動器の場所、時間、介護福祉士の身元識別情報、及び、前記患者モニタリング除細動器により集められた第２の臨床データ、に列挙する項目のうちの１つ又はそれらの組み合わせに関する情報との間の相関性を判定すると、前記第１の臨床データを受信する、請求項４７から５７のいずれか１項に記載のシステム。
【請求項５９】
臨床データの受け渡しのための方法であって、
第１の医療機器から、医療的イベントの間に患者をモニタリングしている前記第１の医療機器により生成される臨床情報を受信する段階と、
前記医療的イベントの間、前記患者に対して第２の医療機器が使用されることを確認する段階と、
確認に基づいて、前記医療的イベントの間、
（ａ）前記第２の医療機器に前記臨床情報のうちの少なくとも一部を表示すること、
（ｂ）前記臨床情報のうちの少なくとも一部から導き出された情報を前記第２の医療機器上に表示すること、
（ｃ）前記臨床情報に基づいて前記第２の医療機器のオペレーションを変更すること、及び、
（ｄ）前記第２の医療機器又は遠隔データベースに前記臨床情報を格納すること、
のうちの１又は複数を実行する段階と
を備える、方法。
【請求項６０】
前記臨床情報は、前記患者が心停止になる前に前記医療的イベントの第１部分の間に生成され、前記第２の医療機器は前記医療的イベントの後続の部分の間に前記患者をモニタリングするために使用され、前記臨床情報のうちの少なくとも一部から導き出された情報を前記第２の医療機器上に表示することは、前記第２の医療機器に、
（Ａ）前記第１の医療機器が前記患者のモニタリングを始めたときの心拍リズムを示す表現を表示すること、
（Ｂ）前記患者が心停止になる直前の心拍リズムを示す表現を表示すること、及び、
（Ｃ）前記患者の心臓に対して電気ショックを実施した後の時間における前記患者の心拍リズムの表現を表示すること、
のうちの１又は複数を表示することを含む、
請求項５９に記載の方法。
【請求項６１】
前記医療的イベントの間、前記患者に対して第２の医療機器が使用されることを確認することは更に、前記第１の医療機器及び前記第２の医療機器が近接して配置されているというインディケーションを、前記第１の医療機器及び前記第２の医療機器のうちの少なくとも１つ上に提供することを含む、請求項５９又は６０に記載の方法。
【請求項６２】
確認する前記段階は更に、無線周波数信号を交換すると、前記第１の医療機器及び前記第２の医療機器が近接して配置されていることを判定することを含む、請求項６１に記載の方法。
【請求項６３】
前記臨床情報は、前記医療的イベントの間の患者への心肺蘇生法（ＣＰＲ）の実施について詳述する、請求項５９から６２のいずれか１項に記載の方法。
【請求項６４】
第１の臨床情報のうちの少なくとも一部から導き出された前記情報は、ＣＰＲ品質のインディケーションを含む、請求項６３に記載の方法。
【請求項６５】
前記ＣＰＲ品質のインディケーションは、胸部圧迫メトリックのインディケーションを含む、請求項６４に記載の方法。
【請求項６６】
前記第１の臨床情報のうちの少なくとも一部から導き出された前記情報は、ＣＰＲ時間のインディケーションを含む、請求項６５に記載の方法。
【請求項６７】
前記ＣＰＲ時間のインディケーションは、ＣＰＲ実施の開始時間、ＣＰＲ実施の終了時間、ＣＰＲ実施の継続期間、及び、胸部圧迫タイミングのうちの１又は複数を含む、請求項６６に記載の方法。
【請求項６８】
前記臨床情報は第１の臨床情報であり、前記医療的イベントの間、前記第２の医療機器が前記患者に対して使用されることを確認することは、前記第１の臨床情報と、前記第２の医療機器を使用して処置されている前記患者の身元識別情報、前記患者又は前記第２の医療機器の場所、時間、介護福祉士の身元識別情報、及び、前記第２の医療機器により集められた第２の臨床情報、に列挙する項目のうちの１つ又はそれらの組み合わせに関する情報との間の相関性を判定することを含む、請求項５９から６７のいずれか１項に記載の方法。
【請求項６９】
前記第１の医療機器及び前記第２の医療機器の一方又は両方を認証することを更に備える、請求項５９から６８のいずれか１項に記載の方法。
【請求項７０】
認証することは集中型認証局に少なくとも部分的に基づく、請求項６９に記載の方法。
【発明の詳細な説明】
【技術分野】
【０００１】
［関連出願の相互参照］
本願は２０１５年３月３０日に出願された米国仮特許出願第６２／１４０４００号明細書の利益を主張するものであり、あらゆる目的に対して、その内容全体が参照によって本明細書に組み込まれるものとする。
【０００２】
本開示の複数の実施形態は、一般的に医療機器間におけるデータの管理及び共有に関する。
【背景技術】
【０００３】
複数の医療機器が、医療的状況（例えば、緊急事態）において使用され得る。これらの機器は、異なる人により使用され得る。例えば、自動体外式除細動器（ＡＥＤ）は、最初の対応者等の訓練されていない医療機器作業員により使用され得る。更に、救急救命士（ＥＭＴ）は、緊急事態に応じて、病院で使用される機器とは異なり得る、異なる機器及び追加の機器を使用し得る。これらの機器間を通信することは、対応者アクション及びプロトコルを運用することと同様に、緊急事態において患者を効率的かつ適切にケアすることの恩恵を受け得る。
【発明の概要】
【０００４】
本開示の実施形態による、医療的イベントにおける臨床データの受け渡しのためのシステムであって、通信可能にネットワークに結合されているサーバ機器であって、サーバ機器は、メモリ、及びメモリと通信可能に結合されるプロセッサを有し、メモリは、プロセッサにより実行された場合、プロセッサに少なくとも１つのコンポーネントを開始させる命令を含み、少なくとも１つのコンポーネントは、通信コンポーネントであって、医療的イベントの間、第１の医療機器及び第２の医療機器との通信を容易によう構成され、第１の医療機器から第１の臨床情報を受信し、医療的イベントの間に第２の医療機器上で、（ａ）第２の医療機器上に第１の臨床情報のうちの少なくとも一部を表示すること、（ｂ）第１の臨床情報のうちの少なくとも一部から導き出された情報を第２の医療機器上に表示すること、（ｃ）第１の臨床情報に基づいて第２の医療機器のオペレーションを変更すること、及び、（ｄ）第２の医療機器又は遠隔データベースに第１の臨床情報を格納すること、のうちの１又は複数を実行することを含む通信コンポーネントとを含む、サーバ機器と、ユーザと通信コンポーネントとの間のインタラクションを容易にするよう構成される、グラフィカルユーザインターフェース（ＧＵＩ）とを含む、システム。
【０００５】
無線ローカルエリアネットワーク（ＷＬＡＮ）を更に含み、第１の医療機器及び第２の医療機器は、ＷＬＡＮを介して通信可能に結合されている、段落［０００４］に記載のシステム。
【０００６】
第１の医療機器及び第２の医療機器のうちの１つはまた、ＷＬＡＮを介して通信を提供する、段落［０００４］から［０００５］のいずれかに記載のシステム。
【０００７】
第１の医療機器及び第２の医療機器のうちの１つはまた、サーバ機器である、段落［０００４］から［０００６］のいずれかに記載のシステム。
【０００８】
第１の医療機器及び第２の医療機器のうちの１つはまた、ＷＬＡＮ上の通信ルータである、段落［０００４］から［０００７］のいずれかに記載のシステム。
【０００９】
第１の医療機器及び第２の医療機器のうちの１つは、医療情報を表示する携帯型コンピューティング機器である、段落［０００４］から［０００８］のいずれかに記載のシステム。
【００１０】
携帯型コンピューティング機器は、ｉＰａｄ（登録商標）、携帯電話、スマートフォン、又は、ｉＷａｔｃｈ（登録商標）である、段落［０００４］から［０００９］のいずれかに記載のシステム。
【００１１】
第１の医療機器及び第２の医療機器のうちの少なくとも１つは、身体に装着されている、段落［０００４］から［００１０］のいずれかに記載のシステム。
【００１２】
ＷＬＡＮは動的に再構成可能であり、かつ安全である、段落［０００４］から［００１１］のいずれかに記載のシステム。
【００１３】
第１の臨床情報は、医療的イベントの間の患者への心肺蘇生法（ＣＰＲ）の実施について詳述する、段落［０００４］から［００１２］のいずれかに記載のシステム。
【００１４】
第１の臨床情報のうちの少なくとも一部から導き出された情報は、ＣＰＲ品質のインディケーションを含む、段落［０００４］から［００１３］のいずれかに記載のシステム。
【００１５】
ＣＰＲ品質のインディケーションは、胸部圧迫メトリックのインディケーションを含む、段落［０００４］から［００１４］のいずれかに記載のシステム。
【００１６】
第１の臨床情報のうちの少なくとも一部から導き出された情報は、ＣＰＲ時間のインディケーションを含む、段落［０００４］から［００１５］のいずれかに記載のシステム。
【００１７】
ＣＰＲ時間のインディケーションは、ＣＰＲ実施の開始時間、ＣＰＲ実施の終了時間、ＣＰＲ実施の継続期間、及び、胸部圧迫タイミングのうちの１又は複数を含む、段落［０００４］から［００１６］のいずれかに記載のシステム。
【００１８】
第１の臨床情報は、患者が心停止になる前に観察された患者ＥＣＧを含む、段落［０００４］から［００１７］のいずれかに記載のシステム。
【００１９】
第１の臨床情報は、第１の医療機器により、患者に電気ショックが実施された後に観察される患者ＥＣＧを含む、段落［０００４］から［００１８］のいずれかに記載のシステム。
【００２０】
通信コンポーネントは更に、第１の医療機器及び第２の医療機器が近接して配置されていることを判定すると、第１の医療機器及び第２の医療機器との通信を容易にするよう構成される、段落［０００４］から［００１９］のいずれかに記載のシステム。
【００２１】
通信コンポーネントは更に、第１の医療機器及び第２の医療機器の一方又は両方を確認するよう誘導するよう構成され、また、誘導は、鍵コード、可視ビーコン、可視光、可聴誘導、及び、患者特有の入力のうちの少なくとも１つを含む、段落［０００４］から［００２０］のいずれかに記載のシステム。
【００２２】
通信コンポーネントは更に、無線周波数信号を交換すると、第１の医療機器及び第２の医療機器が近接して配置されていることを判定するよう構成される、段落［０００４］から［００２１］のいずれかに記載のシステム。
【００２３】
通信コンポーネントは更に、第１の医療機器及び第２の医療機器のそれぞれからグローバルポジショニングシステム（ＧＰＳ）信号を受信すると、第１の医療機器及び第２の医療機器が近接して配置されていることを判定するよう構成される、段落［０００４］から［００２２］のいずれかに記載のシステム。
【００２４】
通信コンポーネントは更に、第１の医療機器及び第２の医療機器のそれぞれが共有ローカルエリアネットワーク（ＬＡＮ）に接続されていることに応答して、第１の医療機器及び第２の医療機器が近接して配置されていることを判定するよう構成される、段落［０００４］から［００２３］のいずれかに記載のシステム。
【００２５】
通信コンポーネントは更に、第１の臨床情報と、第２の医療機器を使用して処置されている患者の身元識別情報、患者又は第２の医療機器の場所、時間、介護福祉士（ｃａｒｅｇｉｖｅｒ）の身元識別情報、及び、第２の医療機器により集められた第２の臨床情報、に列挙する項目のうちの１つ又はそれらの組み合わせに関する情報との間の相関性を判定すると、第１の医療機器及び第２の医療機器との通信を容易にするよう構成される、段落［０００４］から［００２４］のいずれかに記載のシステム。
【００２６】
医療的イベントは救急医療イベントである、段落［０００４］から［００２５］のいずれかに記載のシステム。
【００２７】
本開示の実施形態による、（例えば、医療的イベントにおける）臨床データの受け渡しのためのシステムであって、システムは、医療的イベントの第１部分の間に、患者をモニタリングし、第１の臨床情報を格納するよう構成される第１の医療機器と、第２の医療機器であって、医療的イベントの第２部分の間に、患者をモニタリングし、患者に関する第２の臨床情報を格納するよう構成される第２の医療機器と、制御モジュールであって、第１の医療機器及び第２の医療機器が医療的イベントの間に同じ患者に対して使用される、というインディケーションを受信よう構成され、インディケーションに基づいて、第２の医療機器による第１の臨床情報へのアクセスを確立する結果、第２の医療機器が、医療的イベントの間に、（ａ）第１の臨床情報のうちの少なくとも一部を第２の医療機器上に表示すること、（ｂ）第１の臨床情報のうちの少なくとも一部から導き出された情報を第２の医療機器上に表示すること、（ｃ）第１の臨床情報に基づいて第２の医療機器のオペレーションを変更すること、及び、（ｄ）第１の臨床情報を第２の医療機器又は遠隔データベースに格納すること、のうちの１又は複数を実行することを可能にする制御モジュールとを含む、システム。
【００２８】
第１の医療機器は第１のメモリに第１の臨床情報を格納するよう構成され、第２の医療機器は第２のメモリに第２の臨床情報を格納するよう構成され、制御モジュールは更に、インディケーションに基づいて、第２の医療機器による第１のメモリへのアクセスを確立するよう構成される、段落［０００４］から［００２７］のいずれかに記載のシステム。
【００２９】
第１のメモリ及び第２のメモリは同じメモリ機器の一部である、段落［０００４］から［００２８］のいずれかに記載のシステム。
【００３０】
医療的イベントの第２部分は、その医療的イベントの第１部分の後に発生する、段落［０００４］から［００２９］のいずれかに記載のシステム。
【００３１】
制御モジュールは更に、第１の医療機器及び第２の医療機器が近接して配置されていることを判定すると、第２の医療機器によるアクセスを確立するよう構成される、段落［０００４］から［００３０］のいずれかに記載のシステム。
【００３２】
制御モジュールは更に、第１の医療機器及び第２の医療機器の一方又は両方を確認するよう誘導するよう構成され、また、誘導は、鍵コード、可視ビーコン、可視光、可聴誘導、及び、患者特有の入力のうちの少なくとも１つを含む、段落［０００４］から［００３１］のいずれかに記載のシステム。
【００３３】
制御モジュールは更に、無線周波数信号を交換すると、第１の医療機器及び第２の医療機器が近接して配置されていることを判定するよう構成される、段落［０００４］から［００３２］のいずれかに記載のシステム。
【００３４】
制御モジュールは更に、第１の医療機器及び第２の医療機器のそれぞれからグローバルポジショニングシステム（ＧＰＳ）信号を受信すると、第１の医療機器及び第２の医療機器が近接して配置されていることを判定するよう構成される、段落［０００４］から［００３３］のいずれかに記載のシステム。
【００３５】
制御モジュールは更に、共有ローカルエリアネットワーク（ＬＡＮ）に接続されている第１の医療機器及び第２の医療機器のそれぞれに応答して、第１の医療機器及び第２の医療機器が近接して配置されていることを判定するよう構成される、段落［０００４］から［００３４］のいずれかに記載のシステム。
【００３６】
制御モジュールは更に、第１の臨床情報と、第２の医療機器を使用して処置されている患者の身元識別情報、患者又は第２の医療機器の場所、時間、介護福祉士の身元識別情報、及び、第２の医療機器により集められた第２の臨床情報、に列挙する項目のうちの１つ又はそれらの組み合わせに関する情報との間の相関性を判定すると、第２の医療機器による第１の臨床情報へのアクセスを確立するよう構成される、段落［０００４］から［００３５］のいずれかに記載のシステム。
【００３７】
第１のメモリは第１の医療機器上に設けられ、第２のメモリは第２の医療機器上に設けられる、段落［０００４］から［００３６］のいずれかに記載のシステム。
【００３８】
第１のメモリ及び第２のメモリのうちの少なくとも１つは、ネットワーク内にある第１の医療機器及び第２の医療機器から遠く離して配置され、また、第１の医療機器及び第２の医療機器は、ネットワークを介して無線で通信可能に結合されている、段落［０００４］から［００３７］のいずれかに記載のシステム。
【００３９】
第１の医療機器及び第２の医療機器は、臨床情報を直接転送するよう構成され、制御モジュールは更に、インディケーションに基づいて、第２の医療機器による第１の医療機器への機器同士の直接アクセスを確立し、第２の医療機器が第１の臨床情報へアクセスすることを可能とするよう構成される、段落［０００４］から［００３８］のいずれかに記載のシステム。
【００４０】
医療的イベントは救急医療イベントである、段落［０００４］から［００３９］のいずれかに記載のシステム。
【００４１】
第１の臨床情報は、医療的イベントの第１部分の間の患者への心肺蘇生法（ＣＰＲ）の実施について詳述する、段落［０００４］から［００４０］のいずれかに記載のシステム。
【００４２】
第１の臨床情報のうちの少なくとも一部から導き出された情報は、ＣＰＲ品質のインディケーションを含む、段落［０００４］から［００４１］のいずれかに記載のシステム。
【００４３】
ＣＰＲ品質のインディケーションは、胸部圧迫メトリックのインディケーションを含む、段落［０００４］から［００４２］のいずれかに記載のシステム。
【００４４】
第１の臨床情報のうちの少なくとも一部から導き出された情報は、ＣＰＲ時間のインディケーションを含む、段落［０００４］から［００４３］のいずれかに記載のシステム。
【００４５】
ＣＰＲ時間のインディケーションは、ＣＰＲ実施の開始時間、ＣＰＲ実施の終了時間、ＣＰＲ実施の継続期間、及び、胸部圧迫タイミングのうちの１又は複数を含む、段落［０００４］から［００４４］のいずれかに記載のシステム。
【００４６】
本開示の実施形態による、（例えば、医療的イベントにおける）臨床データの受け渡しのためのシステムであって、患者モニタリング除細動器であって、前記患者モニタリング除細動器は二次救命処置機器であって、前記患者モニタリング除細動器は、医療的イベントの間に自動体外式除細動器、呼吸補助機器、及び自動胸部圧迫機器のうちの１又は複数により記録された臨床データを、前記医療的イベントの間に受信し、（ａ）前記患者モニタリング除細動器上に前記臨床データのうちの少なくとも一部を表示すること、（ｂ）前記臨床データのうちの少なくとも一部から導き出された前記患者モニタリング除細動器情報を表示すること、（ｃ）前記臨床データに基づいて前記患者モニタリング除細動器のオペレーションを変更すること、及び、（ｄ）前記患者モニタリング除細動器に前記臨床データを格納すること、のうちの１又は複数を、前記医療的イベントの間に実行するよう構成される通信モジュールを含む、患者モニタリング除細動器を含む、システム。
【００４７】
患者モニタリング除細動器及び自動体外式除細動器は、患者モニタリング除細動器及び自動体外式除細動器の一方又は両方の確認を介してペアリングするよう構成される、段落［０００４］から［００４６］のいずれかに記載のシステム。
【００４８】
患者モニタリング除細動器及び自動体外式除細動器は、患者モニタリング除細動器及び自動体外式除細動器が近接して配置されていることを判定すると、自動的にペアリングするよう構成される、段落［０００４］から［００４７］のいずれかに記載のシステム。
【００４９】
患者モニタリング除細動器及び自動体外式除細動器は、無線周波数信号を交換すると、患者モニタリング除細動器及び自動体外式除細動器が近接して配置されていることを判定するよう構成される、段落［０００４］から［００４８］のいずれかに記載のシステム。
【００５０】
患者モニタリング除細動器及び自動体外式除細動器は、患者モニタリング除細動器及び自動体外式除細動器のそれぞれからグローバルポジショニングシステム（ＧＰＳ）の信号を受信すると、患者モニタリング除細動器及び自動体外式除細動器が近接して配置されていることを判定するよう構成される、段落［０００４］から［００４９］のいずれかに記載のシステム。
【００５１】
患者モニタリング除細動器及び自動体外式除細動器は、共有ローカルエリアネットワーク（ＬＡＮ）に接続されている患者モニタリング除細動器及び自動体外式除細動器のそれぞれに応答して、患者モニタリング除細動器及び自動体外式除細動器が近接して配置されていることを判定するよう構成される、段落［０００４］から［００５０］のいずれかに記載のシステム。
【００５２】
患者モニタリング除細動器及び自動体外式除細動器は、ネットワークを介して無線で通信可能に結合されている、段落［０００４］から［００５１］のいずれかに記載のシステム。
【００５３】
患者モニタリング除細動器及び自動体外式除細動器は、無線で通信可能に結合され、患者モニタリング除細動器及び自動体外式除細動器間における臨床情報の機器同士の直接転送を提供する、段落［０００４］から［００５２］のいずれかに記載のシステム。
【００５４】
医療的イベントは救急医療イベントである、段落［０００４］から［００５３］のいずれかに記載のシステム。
【００５５】
臨床データは、医療的イベントの間の患者への心肺蘇生法（ＣＰＲ）の実施について詳述する、段落［０００４］から［００５４］のいずれかに記載のシステム。
【００５６】
第１の臨床情報のうちの少なくとも一部から導き出された情報は、ＣＰＲ品質のインディケーションを含む、段落［０００４］から［００５５］のいずれかに記載のシステム。
【００５７】
臨床データは第１の臨床データであり、通信モジュールは更に、第１の臨床データと、患者モニタリング除細動器を使用して処置されている患者の身元識別情報、患者又は患者モニタリング除細動器の場所、時間、介護福祉士の身元識別情報、及び、患者モニタリング除細動器により集められた第２の臨床データ、に列挙する項目のうちの１つ又はそれらの組み合わせに関する情報との間の相関性を判定すると、第１の臨床データを受信するよう構成される、段落［０００４］から［００５６］のいずれかに記載のシステム。
【００５８】
本開示の実施形態による、（例えば、医療的イベントにおいて）臨床データの受け渡しのための方法であって、第１の医療機器から、医療的イベントの間に患者をモニタリングしている第１の医療機器により生成される臨床情報を受信することと、医療的イベントの間、患者に対して第２の医療機器が使用されることを確認することと、確認に基づいて、医療的イベントの間、（ａ）第２の医療機器に臨床情報のうちの少なくとも一部を表示すること、（ｂ）臨床情報のうちの少なくとも一部から導き出された情報を第２の医療機器上に表示すること、（ｃ）臨床情報に基づいて第２の医療機器のオペレーションを変更すること、及び、（ｄ）第２の医療機器又は遠隔データベースに臨床情報を格納すること、のうちの１又は複数を実行することとを含む、方法。
【００５９】
臨床情報は、患者が心停止になる前に医療的イベントの第１部分の間に生成され、第２の医療機器は医療的イベントの後続の部分の間に患者をモニタリングするために使用され、臨床情報のうちの少なくとも一部から導き出された情報を第２の医療機器上に表示することは、第２の医療機器に、（Ａ）第１の医療機器が患者のモニタリングを始めたときの心拍リズムを示す表現を表示すること、（Ｂ）患者が心停止になる直前の心拍リズムを示す表現を表示すること、及び、（Ｃ）患者の心臓に対して電気ショックを実施した後の時間における患者の心拍リズムの表現を表示すること、のうちの１又は複数を表示することを含む、段落［００５８］に記載の方法。
【００６０】
医療的イベントの間、患者に対して第２の医療機器が使用されることを確認することは、第１の医療機器及び第２の医療機器が近接して配置されているというインディケーションを、第１の医療機器及び第２の医療機器のうちの少なくとも１つに提供することを更に含む、段落［００５８］から［００５９］のいずれかに記載の方法。
【００６１】
確認する段階は更に、無線周波数信号を交換すると、第１の医療機器及び第２の医療機器が近接して配置されていることを判定することを含む、段落［００５８］から［００６０］のいずれかに記載の方法。
【００６２】
臨床情報は、医療的イベントの間の患者への心肺蘇生法（ＣＰＲ）の実施について詳述する、段落［００５８］から［００６１］のいずれかに記載の方法。
【００６３】
第１の臨床情報のうちの少なくとも一部から導き出された情報は、ＣＰＲ品質のインディケーションを含む、段落［００５８］から［００６２］のいずれかに記載の方法。
【００６４】
ＣＰＲ品質のインディケーションは、胸部圧迫メトリックのインディケーションを含む、段落［００５８］から［００６３］のいずれかに記載の方法。
【００６５】
第１の臨床情報のうちの少なくとも一部から導き出された情報は、ＣＰＲ時間のインディケーションを含む、段落［００５８］から［００６４］のいずれかに記載の方法。
【００６６】
ＣＰＲ時間のインディケーションは、ＣＰＲ実施の開始時間、ＣＰＲ実施の終了時間、ＣＰＲ実施の継続期間、及び、胸部圧迫タイミングのうちの１又は複数を含む、段落［００５８］から［００６５］のいずれかに記載の方法。
【００６７】
臨床情報は第１の臨床情報であり、医療的イベントの間、第２の医療機器が患者に対して使用されることを確認することは、第１の臨床情報と、第２の医療機器を使用して処置されている患者の身元識別情報、患者又は第２の医療機器の場所、時間、介護福祉士の身元識別情報、及び、第２の医療機器により集められた第２の臨床情報、に列挙する項目のうちの１つ又はそれらの組み合わせに関する情報との間の相関性を判定することを含む、段落［００５８］から［００６６］のいずれかに記載の方法。
【００６８】
複数の実施形態が開示されているが、本発明のその他の実施形態も、例示的な実施形態を説明する以下の詳細な説明より当業者には明らかになるであろう。従って、図面及び詳細な説明は、本質的に例示的なものであり、限定するものではないとみなされるべきである。
【図面の簡単な説明】
【００６９】
【図１】本開示の実施形態による例示的な動作環境を示す。
【００７０】
【図２】本開示の実施形態による例示的なコンピューティング機器を示す。
【００７１】
【図３】本開示の実施形態による例示的な動作環境を示す。
【００７２】
【図４】本開示の実施形態による例示的な医療機器の管理の方法を示すフロー図である。
【００７３】
【図５】本開示の実施形態による動作環境の例示的なオペレーションを示す。
【００７４】
【図６】本開示の複数の実施形態による、１又は複数の医療機器を含む例示的なデータ共有システムを示す。
【００７５】
【図７】本開示の複数の実施形態による、１又は複数の医療機器からのデータ受け渡しの例示的な方法を示す。
【００７６】
【図８】公開鍵基盤の例を示す。
【００７７】
本発明は様々な変更及び代替的な形態に対応可能であるが、複数の特定の実施形態が例として図面に示されており、以下に詳細に説明される。しかし、本発明は説明される複数の特定の実施形態に限定されるものではない。それどころか、本発明は、添付の特許請求の範囲によって定められる本発明の範囲に含まれる全ての変更例、均等例、及び代替例を包含するよう意図されている。
【００７８】
「ブロック」という用語は、本明細書において、例示的に採用される異なるコンポーネントを意味するために用いられ得るが、個々の段階の順序を明示的に参照しない限り、また、参照する場合をのぞき、本明細書に開示される様々な段階の中で、いずれかの要件又は特定の順序を意味するものとして解釈されるべきではない。
【発明を実施するための形態】
【００７９】
様々な種類の施設（例えば、病院、学校、オフィスビル、飛行機、バス等）は、医療的状況における低頻度の使用のために構成される１又は複数の医療機器を備え得る。本明細書において用いられるように、「医療的状況」及び「医療的イベント」という語句は、医療的な注意が求められる、患者が医療的な問題を経験する、又は、患者が治療若しくはケアを受ける、あらゆる状況又はイベントを含み得ること、及び、例えば緊急事態を含むこと、を指すためにその最も広い意味で用いられる。限定するものではないが、例えば、患者が医療的症状を経験し、緊急サービス（例えば緊急医療サービス）への通報がなされたときに医療的イベントが開始し得て、患者が救助され、治療され、搬送され、及び／又は解放されたときに医療的イベントが終了し得る。医療的イベント又は状況が、例えば緊急搬送を含む、医療的イベント内の様々なイベントを含み得る。医療的イベント又は状況は、例えば緊急搬送を含む医療的イベントの中の様々なイベントを含み得る。
【００８０】
更に、１より多くの種類の医療機器が、医療的状況／緊急事態において使用され得る。例えば、自動体外式除細動器（ＡＥＤ）は、心停止の患者を伴う医療的状況で使用されるよう設計されており、心停止の患者の補助に対応する、訓練された救急救命士よりも前の最初の対応者によって使用され得る。救急救命士は、異なる医療機器、又は、追加の医療機器を使用して患者の治療に当たり得る。更に、１又は複数の医療機器が、救急車の中、あるいは患者が病院に到着する前に使用され得る。患者が病院に到着すると、異なる医療機器及び追加の医療機器が、救急医及び救急看護師等の、他の種類の医療関係者によって使用され得る。
【００８１】
実施形態によると、医療機器は、機器間の通信をするよう構成され、医療機器のうちの１つ上にキャプチャされた臨床情報が、他方の医療機器、及び／又は、対応する患者の記録若しくはファイルに関連する遠隔データベースに表示及び／若しくは格納されることを可能にし、並びに／又は、収集された臨床情報に基づいて、医療機器のうちの１つが他方の医療機器のオペレーションを変更することを可能にする。治療を実施する医師は、例えば、ＡＥＤが起動されたときから患者が医療施設に到着するまで、「完全な」イベント詳細を閲覧し、その完全なイベントを見ることが可能となるだろう。アクセスは医療機器間において制御され、その目的は、正しい臨床情報が伝えられることを確実にすること、及び、所与の医療機器が認証されており、他の医療機器上でキャプチャされた臨床情報にアクセスすることが、可能であり、かつ許されていることを確実にすることである。
【００８２】
図１は、本開示の実施形態による例示的な動作環境１００（及び、いくつかの実施形態においては、本発明の態様）を、例として示す。図１に示されるように、例示的な動作環境１００は、１又は複数のネットワーク１１０を介して１又は複数の管理サーバ１０８と通信する、多数の医療機器１０２、１０４及び１０６を含み得る。ネットワーク１１０は、任意の数の異なる種類の通信ネットワークであり得る、又はそれを含む。通信ネットワークとは、例えば、ショートメッセージサービス（ＳＭＳ）、ローカルエリアネットワーク（ＬＡＮ）、無線ＬＡＮ（ＷＬＡＮ）、ワイドエリアネットワーク（ＷＡＮ）、インターネット、ピアツーピア（Ｐ２Ｐ）ネットワーク、２つ以上の機器間の直接有線接続（例えば、ＲＳ−２３２接続）、及び／又は、２つ以上の機器間の直接無線接続（例えば、がＢｌｕｅｔｏｏｔｈ（登録商標）接続）等である。実施形態において、ネットワーク１１０は複数のネットワークの組み合わせであり得る。
【００８３】
医療機器１０２、１０４、及び／又は１０６は、緊急事態又は医療的状況における低頻度の使用のために構成され得る。例えば、医療機器１０２、１０４及び１０６は、例えば、自動体外式除細動器（ＡＥＤ）及び／又は携帯型注入器等を含んでよい。医療機器１０２、１０４及び／又は１０６は、例えば、除細動器（例：ＺＯＬＬ（登録商標）  Ｘ−Ｓｅｒｉｅｓ（登録商標）、Ｅ−Ｓｅｒｉｅｓ（登録商標）、又はＲ−Ｓｅｒｉｅｓ（登録商標）機器）、自動体外式除細動器（ＡＥＤ）（例：ＺＯＬＬ（登録商標）  ＡＥＤ  Ｐｒｏ（登録商標）機器、ＺＯＬＬ（登録商標）  ＡＥＤ  Ｐｌｕｓ（登録商標）機器）、着用型自動除細動器（例：ＺＯＬＬ（登録商標）  ＬｉｆｅＶｅｓｔ（登録商標）機器）、携帯型電子注入ポンプ（例：ＺＯＬＬ（登録商標）  Ｐｏｗｅｒ  Ｉｎｆｕｓｅｒ（登録商標）機器）、機器システム（例：ＺＯＬＬ（登録商標）  Ｐｒｏｐａｑ（登録商標）システム）、胸部圧迫補助機器又は技術（例：ＺＯＬＬ（登録商標）  Ｒｅａｌ  ＣＰＲ  Ｈｅｌｐ（登録商標）、ＺＯＬＬ（登録商標）  ＡｕｔｏＰｕｌｓｅ（登録商標）、又はＺＯＬＬ（登録商標）  ＰｏｃｋｅｔＣＰＲ（登録商標））、及び／又は、呼吸補助機器（例：ＩＭＰＡＣＴ（登録商標）  Ｉｎｓｔｒｕｍｅｎｔａｔｉｏｎ  ｖｅｎｔｉｌａｔｏｒｓ）等、であり得る。医療機器１０２、１０４及び／又は１０６は、処置（例えば、除細動ショック、及び／又は薬品の注入等）を提供し、及び／又は、例えば心拍数、血圧、体温、呼吸数、血中酸素値、呼気終末二酸化炭素濃度値、肺機能、血糖値、及び／又は、体重等の様々な生理的パラメータをモニタリング、検出、及び／又は、取得若しくは計算するよう構成され得る。実施形態において、医療機器１０２、１０４及び／又は１０６は、例えば心電図（ＥＣＧ）等の波形を決定及び／又は表示し得る。
【００８４】
ある特定の複数の例において、医療機器１０２、１０４および１０６のうちの１又は複数が救急医療イベントの第１部分の間に使用され、及び／又は、他の医療機器１０２、１０４および１０６のうちの１又は複数が救急医療イベントの第２部分の間に使用される。例えば、救急医療イベントの第１部分の間に使用される医療機器１０２、１０４及び／又は１０６は、救急医療イベントに対応する最初の対応者によって動作され得るものとして、自動体外式除細動器（ＡＥＤ）、及び／又は、携帯型注入器等を含み得る。他のタイプの医療機器１０２、１０４及び／又は１０６はまた、例えば、救急医療イベントに対応してＥＭＴによって実施され得るものとして、除細動器（例えば、ＺＯＬＬ（登録商標）  Ｘ−Ｓｅｒｉｅｓ（登録商標）又はＥ−Ｓｅｒｉｅｓ（登録商標）機器）、呼吸補助機器、及び／又は、胸部圧迫補助機器を含む救急医療イベントの第２部分の間等に使用され得る。
【００８５】
実施形態において、医療機器１０２、１０４及び／又は１０６は、同じ場所又は異なる場所に配置される。例えば、ある組織が、１又は複数の医療機器１０２、１０４及び／又は１０６を、様々な施設及び／又は地理的に様々な場所等に設置し得る。実施形態において、医療機器１０２、１０４及び／又は１０６は、単一のエンティティ又は複数の異なるエンティティによって管理され得る。示されるように、異なる医療機器１０２、１０４及び１０６は、異なる種類のネットワーク及び／又はネットワークの組み合わせ等を使用して他の機器と通信するよう構成され得る。例えば、医療機器１０２及び１０４は、無線ローカルアクセスネットワーク（ＷＬＡＮ）１１２を介して通信するよう構成され得るが、医療機器１０６はセルラネットワーク１１４を介して通信するよう構成され得る。実施形態において、医療機器１０２、１０４及び／又は１０６は、複数の異なる種類のネットワークを介して通信を可能にする技術を含み得、それにより、医療機器１０２、１０４及び／又は１０６は、ある種類のネットワークから他の種類のネットワークへと移行することが出来る。
【００８６】
実施形態によると、医療機器１０２、１０４及び／又は１０６は、機器の準備情報、機器の性能情報、及び／又は、臨床イベント情報等の情報を、管理サーバ１０８に提供するよう構成される。機器の準備情報又はデータは、医療機器が設計された目的である機能を果たすための能力を担い得る、医療機器の１又は複数のコンポーネントの状況に関連付けられたあらゆる情報を含んでよい。例えば、機器の準備情報は、１つの又は複数のバッテリ、電極、センサ、及び／又は、通信コンポーネント等の状況、状態、及び／又は電池残量に関連する情報を含んでよい。機器の性能情報又はデータは、医療機器のコンポーネントの性能及び／又は機能に関連するあらゆる情報を含んでよい。例えば、機器の性能情報は、例えば、心停止状況の間に除細動ショックがどのように加えられたか、その状況の間に加えられた、ショックのエネルギー値及び／又はショックの回数等、医療的状況及び／又は緊急事態の間に医療機器が実行した機能に関する情報を含んでよい。臨床イベント情報又はデータは、臨床イベントの間に記録される、患者に関連するあらゆる情報を含んでよい。例えば、臨床イベント情報は、生理的パラメータ、患者の人口統計情報、患者のＥＣＧデータ、機器誘導の（ｐｒｏｍｐｔｉｎｇ）記録、機器の動作及びオペレーション、ＣＰＲ（心肺蘇生）性能データ、不具合、エラー、及び／若しくは音声記録、並びに／又は同様のものを含んでよい。
【００８７】
医療機器１０２、１０４及び／又は１０６は、管理サーバ１０８に通信可能に結合されており、いくつかの実施形態においては、管理サーバ１０８と直接通信するよう構成される一方で、他の実施形態においては、医療機器１０２、１０４及び／又は１０６は、管理サーバ１０８と通信するよう構成される、収集サーバ１１６と通信するよう構成される。実施形態において、効率を改善するため、医療機器１０２、１０４及び／又は１０６の全ては、単一のユニフォームリソースロケータ（ＵＲＬ）に情報を伝送することによって、その情報を管理サーバ１０８に提供するよう構成され得る。管理サーバ１０８及び収集サーバ１１６は、本明細書においてそれぞれ単数形で参照されるが、管理サーバ１０８及び収集サーバ１１６は、複数のサーバインスタンス内に（例えば、サーバクラスタとして）実装され、複数のコンピューティング機器にわたって分散され、及び／又は、複数の仮想マシン内でインスタンス化される等であり得る。
【００８８】
更に、Ａｐｐｌｅ  ｉＰａｄ（登録商標）、ｉＰｈｏｎｅ（登録商標）若しくはｉＷａｔｃｈ（登録商標）などのユーザ機器、又は、Ｇｏｏｇｌｅ  Ｇｌａｓｓ（登録商標）等の身体装着型機器があり得、一又は両方のどちらかのローカル医療機器１０２、１０４及び遠隔医療機器１０６からの特定のデータを閲覧するために医療関係者によって使用され得る。本説明において、医療機器１０２、１０４からの特定のデータを表示する、又はそうでなければ、医療関係者と通信する、これらのユーザ機器はまた、本願において例えば医療機器として称される。他の実施形態において、ＷＬＡＮ（例えば１１０）のエリア内にある医療機器のうちの１つは、サーバ機能を提供し得、医療機器１０２、１０４であることに加えて、ローカルレベル１１２でネットワークを提供するサーバ機器であり得る。ローカル医療機器１０２、１０４のうちの１つはまた、ローカルエリアにおいて、医療機器１０２、１０４の間の通信トラフィックをルーティングするルータ機能を提供し得る。
【００８９】
新しい医療機器が現場に（例えば、医療的イベントの場所に）到着するとき、及び、医療関係者が出発し医療機器が去るとき、互いに近接している医療機器１０２、１０４に対して、安全、かつ動的に再構成可能なネットワークが、動的な様式で提供され得る。いくつかの実施形態において、ネットワークは自己構成可能である。つまり、医療機器及び他のユーザ機器自体が、任意の必要なサーバ、ルーティング、及び他の通信機能を提供する。この構成は、例えば、病院到着前の環境などの移動中の環境において実装され得、患者の自宅又は公共の場における医療的状況に対して患者に処置を施す。病院の環境において、無線ルータはユビキタスであり、それにより病院のネットワーク上のローカルな医療機器から分離して存在している、より有能なサーバへのアクセスが提供される。医療機器がサーバ機能を提供する場合、医療機器及び他のローカル機器から収集されたデータは、メイン収集サーバ１１６及び／又は管理サーバ１０８に安全に通信可能に接続出来るまで、サーバ医療機器上に一時的に格納され得る。
【００９０】
一実施形態において、医療機器間のローカルネットワークは、サーバが第１に採用しているネットワーククローキング（ｎｅｔｗｏｒｋ  ｃｌｏａｋｉｎｇ）によって動的かつ安全に確立されており、それによると、例えば、サーバはそのサービスセット識別子
（ＳＳＩＤ）のブロードキャストを抑制する。すると、一実施形態によると、任意の追加の医療機器又はユーザ機器が、そのＳＳＩＤを明確に要求する場合にのみ参加することが出来る。そのブロードキャストされなかった、予め知られているＳＳＩＤは、「ＺＯＬＬＭＥＤＩＣＡＬ」のように単純であり得るし、又は、より複雑な、見かけ上ランダムな英数字のシーケンスであり得、共通の発信者（例えば、ＺＯＬＬ  Ｍｅｄｉｃａｌ  Ｃｏｒｐｏｒａｔｉｏｎ由来の機器）により所有されている機器、又は、同じマスター鍵を提供されている機器にのみ知られているマスター鍵を使用し、暗号アルゴリズムを介して生成され得る。いくつかの場合には、そのようなマスター鍵は更に、例えば日付を組み込んだシードを使用して、イベントの際に暗号化され得る。
【００９１】
Ｗｉｋｉｐｅｄｉａ（登録商標）及び他のソースにより説明されるように、いくつかの実施形態において、予め承認されたＭＡＣアドレス及びＭＡＣフィルタリングのみが用いられ得る。予め共有された鍵モード（ＰＳＫ、パーソナルモードとしても知られる）もまた用いられ得る。ＷＰＡ２−ＰＳＫ及びＷＰＡ２−ＥＡＰの両方が、サプリカント（クライアント）及びオーセンティケータ（ＡＰ）の両方に知られているペアワイズマスター鍵（ＰＭＫ）をもたらす。（ＰＳＫにおいて、ＰＭＫはパスワードから直接取得されるが、一方、ＥＡＰにおいては、それは認証プロセスの結果である。）４ウェイＷＰＡ２ハンドシェイクは、サプリカント及びオーセンティケータに両方ともＰＭＫを知っているということを互いに本質的に証明し合わせ、ネットワークデータを実際に保護するために使用される一時的な鍵を生成する。
【００９２】
４ウェイハンドシェイクをキャプチャすることで、ＰＭＫ又はＰＳＫが漏えいすることはない（なぜなら、ハンドシェイクをキャプチャすることは、無線を介して容易に達成されるからである）。ＰＭＫはまた、ハンドシェイクの間は送信されないが、代わりに、メッセージ完全性チェック（ＭＩＣ）を計算するのに使用される。２５６ビットマスター鍵（ＰＭＫ）は、パスフレーズ及びＳＳＩＤの組み合わせを使用して生成され得る。しかし、一実施形態によると、このＰＭＫはハンドシェイクの間は交換されない。このような実施形態によれば、交換されるのはノンス値（Ｎｏｎｃｅ  ｖａｌｕｅ）（ランダムな数）である。ＡＰはメッセージ１でＡノンスを送信する。ステーションはメッセージ２でＳノンスを送信する。セッション鍵は、一実施形態によれば、２つのノンス及びＰＭＫ及びＭａｃアドレスの組み合わせを使用して生成され得る。
【００９３】
代替的に、公開鍵基盤（ＰＫＩ）が安全なチャネルの確立のために使用され得る。公開鍵基盤（ＰＫＩ）において、証明書は認証の目的のために使用される。証明書は、一例によると、オーセンティケータが、ユーザに関するいかなる事前の知識（ＰＳＫで使用される、予め共有された鍵、等）も有することなしに、ユーザの身元識別情報を検証することを可能にする仮想文書である。公開鍵基盤にはいくつかの形式が存在する。図８は、ＰＫＩ認証アーキテクチャの一例である。図において、数字はイベントの順序を示す。図８において、ＰＫＩアーキテクチャは簡潔な形式で示され、認証局（ＣＡ）８０４と呼ばれる一つの追加のエンティティが関与する。全てのピアに対するセットアッププロセスは、ＣＡ８０４で証明書を入手することである。ＣＡは、１度は「対面で」身元識別情報を確認する責任がある。近距離通信（ＮＦＣ）携帯電話の場合、例えば、電話及び／又は安全なエレメントを製造している間に、セットアッププロセスは、「対面の」チェックインとして実施することが出来得る。ＣＡ８０４が要求者の身元識別情報を検証した後、ピア１（Ｐ１）８０２を呼び出し、証明書Ｃｐ１  ８０８を作成し署名する。周知の証明書の規格には、ＲＦＣ  ２４５９にて定義されたＸ．５０９がある。証明書８０８上の情報１は、ピアの識別情報（Ｉｐ１と称され得る）、及び、それに署名したＣＡ（Ｉｃａと称され得る）、公開鍵（Ｋｐｕｂ、ｐ１）、及び署名（Ｓｐ１）を含む。
【００９４】
署名は、ＣＡの秘密鍵（Ｋｐｒｉｖ、ｃａ）８０３を使用してＫｐｕｂ、ｐ１及びＩｐ１をハッシング及び暗号化することによって計算される。署名の後、ＣＡ  ８０４は要求者８０２にその証明書Ｃｐ１  ８０８を与える。更に、ＣＡ８０４はそれ自体の証明書（Ｃｃａ）８０６を、公開鍵（Ｋｐｕｂ，ｃａ）を保有する要求者に提供する。一例によると、Ｃｃａ  ８０６は、他の証明書に署名するために使用され得ることをインディケートする特別な種類の証明書であるが、しかしＣＣＡ自体は署名されていない。一例によると、この後、セットアッププロセスは終了される。
【００９５】
全てのピアが、信頼されたＣＡ証明書のリストを保持し、この例においては、これはそのリスト内のＣＡのうちの１つによって署名された証明書を有するピアのどれもが信頼されていることを示唆する。従って、このような例において、このリストは注意深く選択され、意図しない変更から保護され得る。２つのピアｐ１  ８０２及びｐ２  ８０５が互いを認証したい場合、それらはまず証明書を交換する。それらはそれぞれ、証明書がそれらが信頼するＣＡにより署名されていることを検証する。これは、ＣＡの公開鍵（ＣＡの証明書上にある）を有するピア証明書上の署名を復号化することにより実行される。次に、ピアはそれぞれ、他方が証明書上の公開鍵に対応する秘密鍵を所有していることを検証する。これは、ＰＳＫにおいて実行されるのと同様、チャレンジ／レスポンス機構により実行され得る。ＣＡ８０４の秘密鍵を含む秘密鍵は、この例においては、その所有者に秘密のままである。ここで説明されている例では、１つのＣＡを有するＰＫＩが説明されてきたが、複数の認証局の階層基盤を有することも可能であり、その場合ティア２の複数の認証局はティア１の認証局により署名された証明書を有し、それは次にルート認証局により署名される。ルート認証局は、自己署名された証明書を有し得る。これは、いくつかの場合には、署名はそれ自体の秘密鍵から計算され、ルート認証局の下の階層にある認証局が、ルート認証局の信頼性を継承することを意味する。このアーキテクチャは、負荷分散の目的で、大きなシステムにおいて有用であり得る。ＥＡＰ−ＴＬＳ、ＥＡＰ−ＴＴＬＳ、ＥＡＰ−ＩＫＥｖ２等のＰＫＩスキーム、又は、当業者に公知の他のスキームが、本開示に基づき用いられ得る。
【００９６】
代替的に、ＺｉｇＢｅｅ（登録商標）等の動的に再構成可能かつ安全なメッシュネットワークプロトコルが用いられ得る。ＺｉｇＢｅｅ（登録商標）は、小型で低電力のデジタル無線から構築されるパーソナルエリアネットワークを作成するのに使用される一連の高レベル通信プロトコルの仕様であり、ＩＥＥＥ８０２．１５．４規格に準拠している。
【００９７】
いくつかの実施形態によると、Ｗｉｋｉｐｅｄｉａ及び他のソースにより説明されるように、ＺｉｇＢｅｅ（登録商標）機器は以下の３種類であり得る。
【００９８】
１つ目は、ＺｉｇＢｅｅ（登録商標）  Ｃｏｏｒｄｉｎａｔｏｒ（ＺＣ）である。いくつかの実施形態によると、最も有能な機器で、Ｃｏｏｒｄｉｎａｔｏｒはネットワークツリーのルートを形成し、他のネットワークにブリッジすることもあり得る。それぞれのネットワークには、厳密に１つのＺｉｇＢｅｅ（登録商標）  Ｃｏｏｒｄｉｎａｔｏｒが存在する。なぜなら、いくつかの実施形態によると、そのネットワークを最初に始動したのがその機器だからである（ＺｉｇＢｅｅ（登録商標）  ＬｉｇｈｔＬｉｎｋ仕様はまた、ＺｉｇＢｅｅ（登録商標）  Ｃｏｏｒｄｉｎａｔｏｒなしのオペレーションを可能とし、既製の家庭用製品に対してより使いやすくなっている）。いくつかの実施形態によると、ネットワークに関する情報を格納し、セキュリティ鍵のためのトラストセンタ及びリポジトリとして機能することを含む。
【００９９】
２つ目は、ＺｉｇＢｅｅ（登録商標）  Ｒｏｕｔｅｒ（ＺＲ）である。いくつかの実施形態によると、Ｒｏｕｔｅｒは、アプリケーション機能を実行する他に、中間ルータとしても機能し得て、他の機器からのデータを通過させる。
【０１００】
３つ目は、ＺｉｇＢｅｅ（登録商標）  Ｅｎｄ  Ｄｅｖｉｃｅ（ＺＥＤ）である。いくつかの実施形態によると、親ノード（Ｃｏｏｒｄｉｎａｔｏｒ又はＲｏｕｔｅｒのどちらか）と交信するのにちょうど十分な機能を含み、他の機器からのデータをリレー出来ない。いくつかの実施形態によると、この関係によって、ノードはかなりの時間の間スリープしていることが出来、これによりバッテリの寿命が長くなる。いくつかの実施形態によると、ＺＥＤは最小限のメモリを必要とし、従って、ＺＲ又はＺＣよりも安価に製作することが出来得る。
【０１０１】
現行のＺｉｇＢｅｅ（登録商標）プロトコルは、ビーコン及び非ビーコンを有効化したネットワークをサポートする。非ビーコンを有効化したネットワークにおいて、非スロット化搬送波感知多重アクセス及び衝突回避方式（ＣＳＭＡ／ＣＡ）チャネルアクセス機構が使用される。この種類のネットワークにおいて、いくつかの実施形態によると、ＺｉｇＢｅｅ（登録商標）  Ｒｏｕｔｅｒは通常それらのレシーバを連続的にアクティブにしており、よりロバストな電力供給を必要とする。しかし、これはヘテロジニアスネットワークを可能にし、いくつかの実施形態によると、そこではある機器は連続的に受信し、一方、他の機器は外部刺激が検出された場合にのみ伝送する。
【０１０２】
いくつかの実施形態によると、ビーコンを有効化したネットワークにおいて、ＺｉｇＢｅｅ（登録商標）  Ｒｏｕｔｅｒと呼ばれる特別なネットワークノードは周期的なビーコンを伝送し、その存在を他のネットワークノードに対して確認する。いくつかの実施形態によると、ノードがビーコン間においてスリープし得、従って、デューティーサイクルは下がりバッテリ寿命が延びる。ビーコン間隔はデータレートに依存する。いくつかの実施形態によると、ビーコン間隔は、２５０ｋｂｉｔ／ｓにおいて１５．３６ミリ秒から２５１．６５８２４秒の範囲、４０ｋｂｉｔ／ｓにおいて２４ミリ秒から３９３．２１６秒の範囲、２０ｋｂｉｔ／ｓにおいて４８ミリ秒から７８６．４３２秒の範囲であり得る。しかし、いくつかの実施形態によると、長いビーコン間隔を有する低デューティーサイクルのオペレーションは、正確なタイミングの恩恵を受けることが多いが、それは低い製品コストへのニーズと競合し得る。
【０１０３】
一般的に、いくつかの実施形態によると、ＺｉｇＢｅｅ（登録商標）プロトコルは無線をオンにしている時間を最小化する結果、電力の使用を低減させる。いくつかの実施形態によるビーコニングネットワークにおいて、ビーコンが伝送されている間だけ、ノードがアクティブになる必要がある。いくつかの実施形態による非ビーコンを有効化したネットワークにおいて、電力消費は非対称的である。ある機器は常にアクティブであり、一方、他の機器はその殆どの時間をスリープに費やす。いくつかの実施形態によると、ＺｉｇＢｅｅ（登録商標）は１２８ビット鍵を使用しそのセキュリティ機構を実装する。いくつかの実施形態によると、鍵は、ＺｉｇＢｅｅ（登録商標）レイヤ及びＭＡＣサブレイヤの両方によって使用され得るネットワーク、又は、事前インストール、合意、又はトランスポートを介して取得されたリンクのどちらかに関連し得る。いくつかの実施形態によると、リンク鍵の確立は、リンク鍵の対応を制御するマスター鍵に基づいてよい。いくつかの実施形態によると、最終的に、少なくともイニシャルマスター鍵は安全な媒体（トランスポート又は事前インストール）を介して取得される。なぜなら、ネットワークのセキュリティはそれに依存し得るためである。いくつかの実施形態によると、リンク鍵及びマスター鍵はアプリケーションレイヤにのみ可視である。いくつかの実施形態によると、漏えい及びセキュリティリスクを回避するため、異なるサービスが、異なるリンク鍵の一方向バリエーションを用いる。
【０１０４】
図１に示されるように、ユーザ機器１１８及び１２０は管理サーバ１０８に通信可能に結合され得、管理サーバ１０８により提供されるサービスにアクセスするよう構成され得る。例えば、管理サーバ１０８は、医療機器１０２、１０４及び／又は１０８から受信される情報を、ユーザ機器１１８及び／又は１２０に提供することを容易にし得る。更に、ユーザは管理サーバ１０８を利用して、ユーザ機器１１８及び／又は１２０を介して、医療機器１０２、１０４及び／又は１０８を構成、及び／又は、それらにソフトウェアアップデートを提供等し得る。
【０１０５】
本明細書において用いられるように、「通信可能に結合され」という語句は、情報が渡され得るあらゆる結合を指すために、その最も広い意味で用いられる。従って、例えば、通信可能に結合されることは、例えば配線によって電気的に結合されること、例えば光学ケーブルによって光学的に結合されること、及び／又は、例えば無線周波数若しくは他の伝送媒体によって無線結合されることを含む。「通信可能可能に結合されること」はまた、例えば、ネットワーク又は一連の機器及び／又は通信プロトコルを介して等による間接結合又は直接結合を含む。
【０１０６】
図１に示される例示的な動作環境１００は、本発明の実施形態の使用又は機能の範囲に関して、いかなる限定を示唆することを意図するものではない。例示的な動作環境１００は、本明細書に例示される任意の単一のコンポーネント又は複数のコンポーネントの組み合わせに関する任意の依存性又は要件を有すると解釈されるべきではない。更に、図１に示される、又は本明細書に記載の複数のコンポーネントのうちの任意の１つ又は複数は、実施形態において、その中に示される他のコンポーネント（及び／又は図示されていないコンポーネント）のうちの様々なものと統合され得、それらの全ては本発明の範囲内であるとみなされる。例えば、収集サーバ１１６は管理サーバ１０８と統合され得、ネットワーク１１０は、ＷＬＡＮ１１２及び／又はセルラネットワーク１１４を含み得る、又はその内部に含まれ得る。
【０１０７】
実施形態によると、図１に示される動作環境１００の様々なコンポーネントは、１又は複数のコンピューティング機器上に実装され得る。例えば、医療機器１０２、１０４、１０６のうちの１又は複数と、管理サーバ１０８と、収集サーバ１１６と、ユーザ機器１１８及び１２０とは、１又は複数のコンピューティング機器について、それらを含み得、それらに通信可能に結合され得、及び／又は、それらの中に含まれ得る。コンピューティング機器は、本発明の実施形態を実装するのに適切な任意の種類のコンピューティング機器を含み得る。コンピューティング機器の例としては、「ワークステーション」、「サーバ」、「ラップトップ」、「デスクトップ」、「タブレットコンピュータ」、「ハンドヘルド機器」、及び／又は、医療機器のコンポーネント等の、専用コンピューティング機器又は汎用コンピューティング機器が挙げられ、それらの全ては図１の範囲及び動作環境１００の様々なコンポーネントへの参照内で考慮される。
【０１０８】
図２に示されるように、コンピューティング機器２００は、直接的及び／又は間接的に、プロセッサ２０４、メモリ２０６、入力／出力（Ｉ／Ｏ）ポート２０８、Ｉ／Ｏコンポーネント２１０、及び電源２１２のうちの１又は複数の機器を結合する、バス２０２を含む。任意の数の追加のコンポーネント、異なるコンポーネント、及び／又はコンポーネントの組み合わせはまた、コンピューティング機器２００に含まれ得る。バス２０２は１又は複数のバス（例えば、アドレスバス、データバス、及び／又はそれらの組み合わせ等）を表し得る。同様に、実施形態において、コンピューティング機器２００は、多数のプロセッサ２０４、多数のメモリコンポーネント２０６、多数のＩ／Ｏポート２０８、多数のＩ／Ｏコンポーネント２１０、及び／又は、多数の電源２１２を含み得る。更に、任意の数のこれらのコンポーネント及び／又はそれらの組み合わせは、多数のコンピューティング機器２００にわたって分散され及び／又は複製され得る。
【０１０９】
明確性のため、図２の様々なコンポーネントは別個のコンポーネントとして示されているが、実際には、コンピューティング機器２００の様々なコンポーネントを描写することは図２ほど明確でない場合がある。例えば、Ｉ／Ｏコンポーネント２１０は、コンピューティング機器２００及び／又はコンピューティング機器２００から分離されている機器に内包される機器を含み得る。他の例として、プロセッサ２０４はメモリを有し得る。そのように、図２の図は１又は複数の実施形態に関連して用いられ得るコンピューティング機器２００の例を図示したものに過ぎず、本明細書に記載の複数の実施形態の様々な態様を達成するコンピュータ実行可能命令を実行し得るコンピューティング機器２００の任意の数の他の構成はまた、本発明の範囲内であるとみなされる。
【０１１０】
複数の様々な実施形態に従って、プロセッサ２０４（又は複数のプロセッサ）は、メモリ２０６、及び／又はＩ／Ｏコンポーネント２１０等の様々なエンティティからデータを読み出す。例えば、実施形態において、プロセッサ２０４は、メモリ２０６に格納されるコンピュータ実行可能命令２１４を実行し得る。更に、実施形態において、プロセッサ２０４は、１又は複数のＩ／Ｏコンポーネント２１０からコンピュータ実行可能命令、信号、及び／又は、他の種類の情報を受信し得る。プロセッサ２０４が情報を読み出して操作するように、プロセッサ２０４はメモリ２０６に情報を格納もさせ得る。
【０１１１】
本開示の実施形態において、メモリ２０６は、揮発性メモリ及び／又は不揮発性メモリの形態でコンピュータ可読媒体を含み、取外し可能、取外し不可能、又はこれらの組み合わせであってよい。媒体例には、ランダムアクセスメモリ（ＲＡＭ）、リードオンリメモリ（ＲＯＭ）、電気的消去可能プログラマブルリードオンリーメモリ（ＥＥＰＲＯＭ）、フラッシュメモリ、光媒体又はホログラム媒体、磁気カセット、磁気テープ、磁気ディスク記憶機器若しくは他の磁気記憶機器、データ伝送、又は、情報を符号化するのに用いられ得、例えば量子状態メモリ及び／又は同様のもの等のコンピューティング機器等によってアクセスされ得る任意の他の媒体、を含む。
【０１１２】
実施形態において、メモリ２０６は、プロセッサ２０４に本明細書に記載されるシステムコンポーネントの実施形態の態様を実装させる、及び／又は、本明細書に記載の方法及び／又は手順の実施形態の態様を実行させるためのコンピュータ実行可能命令を格納する。コンピュータ実行可能命令は、例えば、コンピュータコード、マシンが使用できる命令、及び、例えばコンピューティング機器に関連する１つ又は複数のプロセッサによって実行されることが可能なプログラムコンポーネント等の同様のものを含み得る。そのようなプログラムコンポーネントの例が図３に示されており、システムマネージャ３２８、通信コンポーネント３３０、機器ダッシュボード３３２（及びそのコンポーネント）、及び／又はデータベース３３６等を含み得る。本明細書において考慮される機能の一部又は全てはまた、ハードウェア及び／又はファームウェア内に実装されてもよいし、又は代替的に実装されてもよい。
【０１１３】
本開示に記載の実施形態において、１又は複数のプロセッサによって実行されると、コンピュータ実行可能命令は、例えば通信コンポーネントなどの１又は複数のコンポーネントを、１又は複数のプロセッサに開始させ得る。コンポーネントは、プログラムコンポーネント、電気回路、論理モジュール、機械的アセンブリ、及び／又は、ハードウェア、ファームウェア及びソフトウェアの任意の数の異なる種類の組み合わせであり得る、又はそれらを含み得る。「開始」という用語は、その語句が本明細書において用いられるように、インスタンス化、作成、アクティベート、及び／又は利用等を含み得る。つまり、例えば、プロセッサにより開始されるコンポーネントは、プロセッサにより作成、インスタンス化、又は呼び出されるソフトウェアコンポーネントであり得る。他の例として、コンポーネントはプロセッサによってアクティベートされるハードウェア（例えば、電子回路）を含み得る。このように、「モジュール」又は「制御モジュール」又は「通信モジュール」とも称され得る「コンポーネント」は、ハードウェア、ソフトウェア及びファームウェアのうちの２つ以上の組み合わせとして、又はその内部で、開始及び／又は実装されてよく、１つの機器若しくは場所において開始及び／又はインスタンス化及び／又は配置されてよく、又は、代替的に複数の機器及び／若しくは場所及び／又はネットワーク１１０若しくはクラウド内にわたって分散されてよい。
【０１１４】
実施形態において、Ｉ／Ｏポート２０８は、一部は内蔵され得る外部機器及び／又はＩ／Ｏコンポーネント２１０を含む他の機器、コンピューティング機器２００が論理的に結合されることを可能にし得る。Ｉ／Ｏコンポーネント２１０の例としては、マイクロフォン、ジョイスティック、ゲームパッド、サテライトディッシュ、スキャナ、プリンタ、無線機器、キーボード、ペン、音声入力機器、タッチ入力機器、タッチスクリーン機器、対話型ディスプレイ機器、及び、マウス等を含む。実施形態において、Ｉ／Ｏコンポーネント２１０は、例えば表示コンポーネント（例：ディスプレイ、印刷機器、タッチスクリーンＩ／Ｏディスプレイ、等）、及び／又は、通信コンポーネント（例：送受信機、アンテナ、等）などを含み得る。
【０１１５】
図２に示される例示的なコンピューティング機器２００は、本発明の実施形態の使用又は機能の範囲に関して、いかなる限定を示唆することを意図するものではない。例示的なコンピューティング機器２００は、本明細書に例示される任意の単一のコンポーネント又は複数のコンポーネントの組み合わせに関する任意の依存性又は要件を有すると解釈されるべきではない。更に、図２に示される複数のコンポーネントのうちの任意の１つ又は複数は、実施形態において、本明細書に図示される他のコンポーネント（及び／又は図示されていないコンポーネント）のうちの様々なものと統合され得、それらの全ては本発明の範囲内であるとみなされる。
【０１１６】
図３は、本発明の実施形態による例示的な動作環境３００を示す。例示的な動作環境３００は、ネットワーク３０６を介して医療機器３０４と通信するよう構成される管理サーバ３０２を含む。任意の数の追加の医療機器３０８は、管理サーバ３０２とも通信するよう構成され得る。管理サーバ３０２と医療機器３０４及び／又は３０８との間の通信は、一方向又は双方向であり得る。実施形態によると、ユーザはユーザ機器３１０を利用し管理サーバ３０２と通信し得る。管理サーバ３０２は、例えば、図１に示される管理サーバ１０８であって（又は、それと類似していて）よく、医療機器３０４及び／又は３０８は、例えば、図１に示される医療機器１０２、１０４及び／又は１０６であって（又は、それと類似していて）よく、ネットワーク３０６は、図１に示されるネットワーク１１０、１１２及び１１４のうちの任意の１つ又は複数であって（又は、それと類似していて）よく、ユーザ機器３１０は、図１に示されるユーザ機器１１８及び／又は１２０であって（又は、それと類似していて）よい。
【０１１７】
医療機器３０４は、１又は複数のバッテリ３１２により電力を供給され得て、患者に処置を提供し、及び／又は、その患者から生理的パラメータ測定値を取得するよう構成される患者インターフェースコンポーネント３１４と、ネットワーク３０６を介し、情報を管理サーバ３０２へ伝送することを容易にするよう構成される通信コンポーネント３１６とを含み得る。実施形態において、患者インターフェースコンポーネント３１４は、１又は複数の除細動電極（パッド）、及び／又は、１又は複数の注入針等であり得る、又はそれを含み得る。医療機器３０４は、プロセッサ３１８及びメモリ３２０も含み得る。
【０１１８】
医療機器３０４は、患者に繋がれている１又は複数の患者インターフェースコンポーネント３１４（例えば、センサ又は電極）から信号を受信してよく、プロセッサ３１８を使用して信号を解析し、様々な生理的パラメータをモニタリング、検出、及び／又は、取得若しくは計算してよい。例えば、プロセッサ３１８は、心拍数、血圧、体温、呼吸数、血中酸素値、呼気終末二酸化炭素濃度値、肺機能、血糖値、及び／又は体重等を、モニタリング、検出、及び／又は、取得若しくは計算し得る。これらの生理的パラメータのうちの任意の１つ又は複数、他の測定されたパラメータ、及び／又は、他の取得されたパラメータ等は、メモリ３２０に格納され得る。いくつかの実施形態において、医療機器３０４は、上述の生理的パラメータ、他の臨床イベント情報、及び／又は、構成オプション等のうちの１又は複数に関連するデータを表示するためのディスプレイ３２２を含む。臨床イベント情報（例えば、臨床イベントの間に医療機器３０４の使用中に記録された、生理的パラメータ、及び／又は、機器使用メトリック等）、自己診断情報、及び／又は、構成情報等はメモリ３２０に格納され得る。
【０１１９】
通信コンポーネント３１６は、Ｉ／Ｏポート（例えば、論理ポート、仮想ポート、物理ポート等）、１又は複数のアンテナ、１又は複数の送受信機、及び／又は、１又は複数の受信機等を含み得る。実施形態において、例えば、通信コンポーネント３１６は、例えば、モデムベースダイアルアップ接続に使用するためのＲＳ−２３２ポート、銅又はファイバ１０／１００／１０００イーサネット（登録商標）ポート、Ｂｌｕｅｔｏｏｔｈ（登録商標）又はＷｉＦｉ（登録商標）インターフェース、赤外線ポート、及び／又は、ユニバーサルシリアルバス（ＵＳＢ）ポート等などの、Ｉ／Ｏポートを含み得る。実施形態において、通信コンポーネント３１６は、近距離通信、及び／又は、セルラ通信等を容易にするよう構成されてよい。
【０１２０】
実施形態において、医療機器３０４は、管理サーバ３０２へ情報を伝送し、管理サーバ３０２から通信を受信し、及び／又は、患者データ、機器の状態及び履歴、及び／又は、機器エラーログ等の管理を容易にするよう構成され得る。医療機器３０４は、ソフトウェアアップデート及び構成情報を、通信コンポーネント３１６を介して受信するよう構成され得る。実施形態において、医療機器３０４は、自己診断情報、臨床イベント情報、アラーム情報を、自動で（例えば、プログラムされたスケジュールに従って、及び／又はイベントに応答して等）、及び／又は、手動で（例えば、ユーザ入力に応答して）管理サーバ３０２に伝送するよう構成され得る。
【０１２１】
図３に示されるように、管理サーバ３０２は、プロセッサ３２４及びメモリ３２６を含むコンピューティング機器上に実装され得る。実施形態において、管理サーバ３０２は、ハードウェア、ソフトウェア、ファームウェア、又はこれらの組み合わせを指してよく、１つのコンピューティング機器、多数のコンピューティング機器、１つの仮想マシン、多数の仮想マシン、及び／又はサービス等であり得る、又はそれらを含み得る。例えば、管理サーバ３０２は、スタンドアロンサーバ機器又はサーババンクであり得る。実施形態において、管理サーバ３０２は、例えば、ユーザ機器３１０等のコンピューティング機器によって実行されるよう構成されるソフトウェアであり得る。例えば、システムマネージャ３２８、通信コンポーネント３３０、及び／又は、機器ダッシュボードサービス３３２等の様々なプログラムコンポーネントが、メモリ３２６に格納され得る。実施形態において、プロセッサ３２４はシステムマネージャ３２８、通信コンポーネント３３０、及び／又は、機器ダッシュボードサービス３３２を実行する。
【０１２２】
システムマネージャ３２８は、医療機器３０４及び／又は３０６、及び／又は、機器ダッシュボードサービス３３０等の様々な態様の管理を容易にし得る。例えば、システムマネージャ３２８は、管理サーバ３０２と医療機器３０４及び／又は３０６との間の通信を調整し、ログイン及び認証手続を容易にし、データベース３３６に格納されるユーザアカウント及びアカウント情報３３４を作成、削除、操作、及び管理し、データベース３３６に対して対話し、クエリし、及び／又はインデックスし、他のシステム（例えば、電子カルテ（ＥＭＲ）システム、管理システム、及び／又は、保険／会計システム）との統合を容易にし、関連する法律及び規制の順守を維持するためのオペレーション及び手続を容易にし、及び／又は、管理サーバ３０２の実施形態の様々な態様の構成及び／又はカスタマイズを容易にする等、を行うよう構成され得る。データベース３３６は、１又は複数の表、１又は複数のリレーショナルデータベース、１又は複数の多次元データキューブ、及び／又は、１又は複数の非リレーショナルデータベース等であり得る、又はそれらを含み得る。更に、単一のコンポーネントとして示されているが、データベース３３６は実際、単一のコンピューティング機器上に実装され得る又は多数のコンピューティング機器及び／又はメモリコンポーネント等に分散され得る、例えばデータベースクラスタ等の複数のデータベース３３６であり得る。
【０１２３】
通信コンポーネント３３０は、医療機器３０４の通信コンポーネント３１６として類似の態様を含み得、医療機器３０４の通信コンポーネント３１６と通信するよう構成され得る。通信コンポーネント３３０と通信コンポーネント３１６との間のこの通信は、機器同士の直接通信であり得、及び／又は、ネットワーク３０６を介する、及び／若しくは、１又は複数の他の機器３０８、３１０、３３６を介する間接通信でもあり得る。実施形態において、動作環境３００は、収集サーバ（例えば、図１に示される収集サーバ１１２等）を含み得る。その場合、通信コンポーネント３３０は、医療機器３０４の通信コンポーネント３１６と通信するよう構成され得る、収集サーバの通信コンポーネントと通信するよう構成され得る。実施形態において、通信コンポーネント３３０はまた、管理サーバ３０２及び医療機器３０８、ユーザ機器３１０、他の機器、及び／又は他のシステム等の間の通信を容易にするよう構成され得る。
【０１２４】
実施形態において、通信コンポーネント３３０は、医療機器３０４及び／又は３０８から、例えば無線通信で、機器の準備情報３３８、機器の性能情報、及び／又は、臨床イベント情報３４０を受信するよう構成され得る。示されるように、受信された情報３３８及び／又は３４０は、データベース３３６に格納され得る。実施形態によると、通信コンポーネントはまた、ＵＳＢフラッシュドライブ、ＣＤ−ＲＯＭディスク、及び／又は、任意の数の他の記憶媒体及び／又は伝送媒体から、情報（例えば、機器の準備情報、機器の性能情報、及び／又は、臨床イベント情報）を受信するよう構成され得る。
【０１２５】
通信コンポーネント３１６及び３３０（及び５１２）が機器に関連するボックスとして図３及び図５に示されているが、上述したように、そのような「コンポーネント」又は「モジュール」は、ハードウェア、ソフトウェア及びファームウェアのうち２つ以上の組み合わせとして、又はその内部で、開始及び／又は実装されてよく、１つの機器又は場所において開始及び／又はインスタンス化及び／又は配置されてよく、又は、代替的に複数の機器及び／又は場所にわたって分散されてよい。例えば、通信コンポーネント３１６、３３０及び／又は５１２のうちのいずれか１つは、ハードウェア、ソフトウェア、ファームウェア又はそれらの何らかの組み合わせであり得、複数の機器にわたって分散されている、通信中の情報又はデータを収集している機器と同じ機器内又は機器上で開始されてよく、及び／又は、通信中の情報又はデータを収集している機器とは異なる機器上で開始されてよい。
【０１２６】
実施形態によると、機器ダッシュボードサービス３３２は、ユーザの医療機器の管理についてユーザを補助するよう構成されるアプリケーションであり得る。機器ダッシュボードサービス３３２は、ユーザが医療機器を管理する中心的な場所として機能し得る。機器ダッシュボードサービス３３２へのアクセスは ｗｅｂベースであってよく、オプションとして、コンピュータシステム／ネットワークに顧客がアプリケーションを追加し得る。機器ダッシュボードサービス３３２は、任意の数の異なる医療機器と互換性を有し得るよう構成されてよく、ユーザが医療機器及び／又は競合する機器等に関する追加の情報を入力することが出来るよう構成され得る。このようにして、機器ダッシュボードサービス３３２は、実施形態において、医療機器の管理を整理して簡略化すること、医療機器を遠隔モニタリングすること、ＡＥＤソフトウェアを遠隔管理すること、医療機器を遠隔構成すること、臨床イベント情報を閲覧すること、及び／又は、機器の準備（自己診断）情報を閲覧すること等を容易にし得る。
【０１２７】
実施形態によると、機器ダッシュボードサービス３３２は、医療機器３０４及び３０６、医療機器３０４及び３０６から受信される情報、及び／又は同様のものの管理を容易にするよう構成され得る。図３に示されるように、機器ダッシュボードサービス３３２は、（ディスプレイ（図示せず）を含み得る）ユーザ機器３１０上のＧＵＩ３４４の表示を容易にするよう構成されるグラフィカルユーザインターフェース（ＧＵＩ）コンポーネント３４２を含む。ＧＵＩ３４４がユーザ機器３１０上で動作中のブラウザ３４６を使用してレンダリングされている様子が図示されているが、実施形態において、ＧＵＩ３４４は、クライアントアプリケーション、ブラウザプラグイン、アプリケーションプラグイン、及び／又は、アプリケーションプログラミングインターフェース（ＡＰＩ）等を使用して提供され得る。ＧＵＩ３４４は、例えば、機器の準備情報、機器の性能情報、臨床イベント情報、構成情報、ソフトウェアステータス及び／又はアップデートに関連する情報、医療機器に対応する位置の情報、ユーザ情報、及びアカウント情報等を含む、任意の数の異なる種類の情報をユーザに表示することを容易にし得る。
【０１２８】
実施形態において、例えば、医療機器３０４はＡＥＤであってよく、また、ＧＵＩ３４４は、自己診断レポートから生成される以下の機器情報を表示するよう構成されてよい。機器情報とは、最新の自己診断の結果、機器のシリアルナンバー、電極の状況／使用期限、バッテリの状況／使用期限、機器ソフトウェアの改訂、機器ユーザＩＤ（プログラムされている場合）、及び／又は、機器の自己診断の実行間隔、である。自己診断に不合格となると、該当する場合には、例えば、自己診断に「不合格」となった統合機器、及び／又は、自己診断に不合格となった理由等の情報を集計及び表示することになり得る。
【０１２９】
実施形態によると、機器ダッシュボードサービス３３２は、ＧＵＩ３４４を使用しての表示、印刷、及び／又は転送等され得るレポートを、ＧＵＩコンポーネント３４２に提供させるよう構成されてよい。例えば、機器ダッシュボードサービス３３２は、周期的に、自己診断に合格したことを、電子メール及び／又はＧＵＩ３４４等を介し、ユーザに通知してよい。他の例において、毎日、毎週、及び／又は、毎月のレポートが提供されてよい。更に、実施形態において、レポート、アラート、及び／又は、他の種類のデータが、電子メール、及び／又はショートメッセージサービス（ＳＭＳ）メッセージ等を介し、ユーザに提供されてよい。
【０１３０】
実施形態によると、管理サーバ１０８、３０２は、機器の準備情報を受信、管理、及び表示するよう構成され得る。機器ダッシュボードサービス３３２は、医療機器３０４の準備状況についての最新の情報を、ユーザに提供するよう構成され得る。この情報は、機器の準備状況（例えば、医療機器３０４が最新の自己診断に合格したかどうかに関するインディケーション）と、電極の使用期限／準備状況と、バッテリ情報（例えば、バッテリに最低１回の救助のために十分な電力が残されているかどうか）とを含み得る。特定の実施形態によると、管理サーバ１０８、３０２は、機器の性能情報又はデータを受信、管理、及び表示するよう構成され得る。
【０１３１】
実施形態によると、管理サーバ１０８、３０２はまた、臨床イベント情報を受信、管理、及び表示するよう構成され得る。機器ダッシュボードサービス３３２は、医療機器３０４から一度ダウンロードされれば、完全なイベント情報をユーザに提供するよう構成され得る。このデータは、ＨＩＰＰＡに準拠した方法でダウンロードされてよい。ダウンロードされると、ユーザは、メインスクリーンにおいて、基本機器情報と共に、機器の動作及び誘導を閲覧することが可能となり得る。このメインスクリーンから、ユーザは、例えばＥＣＧ及びＣＰＲ解析等の追加のタブへ移動することが可能となり得る。臨床イベント情報がダウンロードされると、機器ダッシュボードサービス３３２は、医療機器がデータを記録した、複数の言語での誘導及び／又は基本情報の表示を提供するよう構成され得る。実施形態によると、臨床イベント情報は、イベントログ及び機器誘導ログ、ＥＣＧ及び波形、ＣＰＲ解析、ＣＰＲ品質誘導、及び、スクリーンを含み得る。
【０１３２】
機器ダッシュボードサービス３３２は更に、構成情報を医療機器３０４及び／又は３０８に提供するよう構成される構成コンポーネント３４８を含む。実施形態において、医療機器３０４は、ユーザによって選択され得る多くの異なるオプションに基づいて構成可能であってよい。ユーザは、医療機器３０４に直接ユーザ入力を提供することによって、及び／又は、構成コンポーネント３４８を介して医療機器３０４に構成情報を提供すること等によって、医療機器３０４を構成することが可能であり得る。実施形態において、例えば、構成コンポーネント３４８は、ＧＵＩ３４４を介してユーザ入力を受信し、様々な構成オプションを構成してよい。構成情報（構成されたオプションを含む）は、構成コンポーネント３４８を使用して、医療機器３０４に提供され得る。実施形態において、例えば、構成情報は構成ファイルで医療機器３０４に提供されてよく、医療機器３０４は、その構成ファイルの読み出しとパース、構成情報の抽出、及び、その構成情報に基づき、医療機器３０４自体を構成するよう構成されてよい。機器ダッシュボードサービス３３２により、同じ構成情報をユーザが管理している（類似の種類の）全ての医療機器に、固有の構成情報をそれぞれの医療機器に、及び／又は、上記の様々な組み合わせを、ユーザが提供することが可能となり得る。実施形態によると、構成コンポーネント３４８は、ネットワーク３０６を通して医療機器３０４に伝送される、及び／又は、記憶媒体（例えば、ＵＳＢフラッシュドライブ）にダウンロードされる等の構成情報を提供し得る。
【０１３３】
任意の数の異なるオプション、特徴、及び／又は、設定等は、構成情報を使用して構成され得る。ユーザによって構成可能な構成オプションの特徴及び／又は設定の種類は、ユーザに割り当てられた役割、法規制の順守による制限、及び／又は、安全性の考慮等に基づいていてよい。実施形態において、例えば、医療機器３０４はＡＥＤであってよく、以下の表１に示される構成オプション及びパラメータは、第１種のユーザ（例えば、非管理者）に利用可能なものであり得、一方、以下の表２に示される構成オプション及びパラメータは、第２種のユーザに利用可能なものであり得る。
【表１】
2018509995.tif 000003
【表２】
2018509995.tif 000004
2018509995.tif 000005
2018509995.tif 000006
2018509995.tif 000007
【０１３４】
図３に示されるように、機器ダッシュボードサービス３３２はまた、医療機器３０４にソフトウェアアップデートを提供するよう構成されるアップデートコンポーネント３５２を含み得る。実施形態によると、アップデートコンポーネント３５２は、ネットワーク３０６を通して医療機器３０４に伝送される、及び／又は、記憶媒体（例えば、ＵＳＢフラッシュドライブ）にダウンロードされる等のソフトウェアアップデートを提供し得る。更に、アップデートコンポーネント３５２は、スケジュールされたソフトウェアアップデート、及び／又は、周期的なソフトウェアアップデート等を可能にするよう構成され得る。
【０１３５】
実施形態において、機器ダッシュボードサービス３３２は、管理サーバ３０２により提供される１又は複数のサービスを使用するためにユーザが登録するのを補助するよう構成される、顧客登録ウィザード３５０を含み得る。顧客登録ウィザード３５０は、ユーザに登録プロセスを段階的に説明し、そのユーザから様々な種類の情報を集め、その情報を様々な適切なサービス、データベース、及び／又は、エンティティ等に送信するよう構成され得る。例えば、登録ウィザード３５０は、特定のユーザ機器、ユーザ、組織、単一の医療機器、医療機器群、及び／又は、ユーザアカウント等に対応するログイン証明書の作成を要請し、及び／又はその作成を容易にし得る。これらのログイン証明書は、第１のサービス及び／又はエンティティに提供され得る。登録ウィザード３５０は、第２のサービス及び／又はエンティティに提供され得るアカウント設定情報の作成を要請し、及び／又はその作成を容易にするよう構成され得る。更に、例えば、登録ウィザード３５０は、第３のサービス及び／又はエンティティに提供され得る、機器保証登録情報を要請するよう構成され得る。任意の数の異なる種類の情報が、ユーザから要求され得、及び／又は、登録手続において生成され得て、登録ウィザード３５０は、任意の数の異なる種類の情報を、任意の数の異なるサービス及び／又はエンティティに提供することを容易にし得る。
【０１３６】
登録プロセスにおいて、ユーザは、機器ダッシュボードサービス３３２に関連する、任意の数の様々な態様、特徴、及び／又は、オプション等を構成し得る。実施形態において、例えば、ユーザが通知頻度を指定することが可能であり得る。その通知頻度は、医療機器３０４が管理サーバ３０２に情報を通信するよう構成されている頻度であり得る。機器ダッシュボードサービス３３２は、実施形態において、階層化された機器の管理、地理的情報に基づいた医療機器のグループ化、使用される言語の選択、及び／又は、流通パートナー向けのポータルの提供等を容易にし得る。
【０１３７】
実施形態によると、機器ダッシュボードサービス３３２は、ユーザの役割に基づく許可を容易にし得る。つまり、実施形態において、特定のアカウント、及び／又は、医療機器群等に関連する各ユーザは、特定の役割を割り当てられ得る。その役割は、様々な種類の情報、及び／又は機能等に対して、ユーザが有するアクセスのレベルを定義する。機器ダッシュボードサービス３３２はまた、各ユーザの責任を識別し、相対的な評価、法規制の順守、及び／又は、内部ポリシーの順守等、を追跡するためのメカニズムを実装し得る。実施形態において、機器ダッシュボードサービス３３２は、医療機器の各種類に関連する異なる多数のユーザ種類を管理するよう構成され得る。
【０１３８】
例として、機器ダッシュボードサービス３３２は、ＡＥＤに関連する様々な種類のユーザを認識するよう構成され得る。つまり、例えば、機器ダッシュボードサービス３３２は、ＡＥＤ機器自体に関連する５つの主要なユーザの役割を認識し得る。その役割とは、ＡＥＤ保守者、ＡＥＤプログラムマネージャ、ＡＥＤ救助者、医療ディレクタ、及び医師、である。明確性及び可能な実施概念を明瞭にする目的で、ＡＥＤに関連するこれらのユーザの役割が本明細書にて説明されているが、本発明の実施形態は、任意の数の異なる種類の医療機器に関連する任意の数の異なるユーザの役割をサポートすることを容易にする。
【０１３９】
実施形態によると、ＡＥＤ保守者が、一群のＡＥＤ（例えば、１から１００以上のＡＥＤ）を保守する任務を負い得る。ＡＥＤ保守者は、全てのＡＥＤがきちんと動作し、最新であり、及び／又は、電流電極及びバッテリを有すること等を確実にする責任を担い得る。ＡＥＤプログラムマネージャは、例えば、ＡＥＤ保守者が存在する多数の場所を管理する任務を負い得る。ＡＥＤプログラムマネージャは、ＡＥＤプログラム全体（会社、学区、軍事基地、及び同様のもの）に対して責任を担い得、全ての場所が内部及び外部要求のどちらも満たすことを確実にする。実施形態において、階層システムを経由して、ＡＥＤプログラムマネージャは、責任を担っている全てのＡＥＤに関連する情報を閲覧する能力を提供され得る。ＡＥＤ救助者は、臨床患者イベントの間、ＡＥＤを操作し得る。
【０１４０】
実施形態において、医療ディレクタは、多数のＡＥＤを経由して医療指示を提供し得る。医療ディレクタの責任は、例えば、医療ディレクタの監督下にあるＡＥＤの全てが適切に保守されていることを確実にすること、全てのＡＥＤのサイトに最新のＣＰＲ／ＡＥＤ資格を保有する対応者がいることを確実にすること、イベント後のサポート及び／又は臨床イベントデータレビューを提供することを含み得る。従って、例えば、医療ディレクタは、場所を迅速に閲覧する能力を提供され得る。その場所とは、例えば、医療的緊急事態に応答するために、機器の準備状況及び場所の準備状況を確認する等の、ＡＥＤ管理の様々な側面に関する順守を確認するために彼らが管理を担当している場所である。更に、実施形態において、ＡＥＤを臨床的に使用したすぐ後に、医師は臨床イベント情報を閲覧する能力を提供され得る。
【０１４１】
同様に、機器ダッシュボードサービス３３２は、多数のダッシュボードユーザの役割を認識するよう構成され得る。例えば、実施形態において、ダッシュボードユーザは、１つのＡＥＤ又は複数のＡＥＤの管理及び保守することに対して責任を担い得る。更に、これらのユーザは、臨床イベント情報のダウンロード及び／又はレビューに対して責任を担い得る。実施形態において、これらのユーザは、４つのユーザの役割（管理者、サイトユーザ、医療ディレクタ／医師、及びＥＭＳ機関）のうちの割り当てられた１又は複数の役割であり得る。
【０１４２】
例えば、管理者は複数の場所に分散する複数のＡＥＤの管理について責任を担い得る。それら複数の場所は、（例えば、国、州、又は町等によって）さまざまであり得、各サイトに特定の責任を担うユーザがいる。管理者は、全てのサイト、及び／又は、複数のサイトグループ等を管理することに責任を担い得る。管理者の責任に関する例示的な活動は、「善きサマリア人」の法の順守を確実にすること、ＡＥＤプログラム順守を確実にすること、機器の準備状況を確実にすること、ＣＰＲ／ＡＥＤ訓練を提供すること、及び、機器構成を容易にすることを含み得る。実施形態において、管理者の主要な任務は、割り当てられた任務がＡＥＤプログラムの管理である場合があり得るので、ＡＥＤ機器の管理を伴わない場合もある。
【０１４３】
実施形態において、サイトユーザは、個々の場所に関連する全てのＡＥＤに対して責任を担い得る。サイトは一顧客に関連した複数の場所のうちの１つであり得るので、サイトユーザは管理者に報告してよい。サイトユーザの責任に関する例示的な活動は、機器の準備状況、機器の性能、及び／又は緊急対応チームの訓練等を確実にすることを含み得る。医療ディレクタ／医師は、複数の場所の複数のＡＥＤに対して責任を担い得て、処方医であってよい。医療ディレクタ／医師は、複数の場所に配備されたＡＥＤに対して責任を担い得る。彼らは、全てのサイトがＡＥＤを適切に保守し、訓練認証に準拠していることを確実にする責任を担い得る。更に、医療ディレクタ／医師はまた、イベント後のサポートを提供し得、及び、臨床イベント情報をレビューし得る。医療ディレクタ／医師の責任に関する例示的な活動は、個々のサイトコンプライアンスを追跡すること、イベント後のサポートを提供すること、及び／又は、臨床イベント情報のレビュー、等を含み得る。更に、実施形態において、ＥＭＳサービスがＰＡＤ（Ｐｕｂｌｉｃ  Ａｃｃｅｓｓ  Ｄｅｆｉｂｒｉｌｌａｔｉｏｎ）プログラムを提供する場合、ＥＭＳ機関はまた、「管理者」であり得る。更に、機器ダッシュボードサービス３３２は、例えば、心停止の緊急事態の最寄りのＡＥＤの場所の発信のアラートをすることを、ＥＭＳ応答ソフトウェアに統合するよう構成され得る。
【０１４４】
実施形態によると、管理サーバ３０２、医療機器３０４、ユーザ機器３１０、及び／又は、例えば管理システム（例えば、図５に示される管理システム５４２）等の他のシステムコンポーネントは、医療機器３０４から受信される情報を処理し、実施形態において、情報及び／又は処理された情報を活用して追加のサービスを容易にするよう構成され得る。例えば、実施形態において、機器の準備情報、機器の性能情報、臨床イベント情報のうちの任意の１つ又は複数は、処理されて、下記の項目にわたる統計的レポートを生成し得る。その項目とは、地理的エリア、顧客、一群の中の機器、機器の種類、特定の年月が経過した機器、バージョン、及び／又は、構成、環境条件（例：標高、平均気温、気温の範囲、平均湿度、湿度の範囲、平均気圧、気圧の範囲、太陽露光レベル及び／又は時間、及び／又は、大気汚染物質の種類及び／又はレベル、等）、使用状況（例：使用頻度、使用の性質、及び／又は、使用期間、等）、ユーザの人口統計値（例：ユーザの役割、ユーザの種類、ユーザの年齢、及び／又は、ユーザの経験値、等）、及び／又は、結果（例：介入成功の方策、予後、及び／又は、診断、等）等である。レポートは、定期的に、手動及び／又は自動等で生成され得、任意の数の機器、ユーザ、ユーザグループ、規制機関、及び／又は臨床医等に提供され得る。
【０１４５】
実施形態において、管理サーバ３０２、医療機器３０４、ユーザ機器３１０、及び／又は、例えば管理システム（例えば、図５に示される管理システム５４２）等の他のシステムコンポーネントは、任意の数の他の機能、サービス、及び／又は、一群の医療機器を管理することに関連する特徴を容易にするよう構成され得る。例えば、ユーザは、医療機器３０４に関連するオーディオ／ビデオ機器に遠隔アクセスし、医療会計及び／又は他の金融取引を容易にし、医療情報への要求に応答し、及び／又は、個人の識別が可能な情報を曖昧にする等を行うことが出来得る。
【０１４６】
図３に示される例示的な動作環境３００は、本発明の実施形態の使用又は機能の範囲に関して、いかなる限定を示唆することを意図するものではない。例示的な動作環境３００は、本明細書に図示される任意の単一のコンポーネント又は複数のコンポーネントの組み合わせに関する任意の依存性又は要件を有すると解釈されるべきではない。更に、図３に示される複数のコンポーネントのうちの任意の１つ又は複数は、実施形態において、その中に図示される他のコンポーネント（及び／又は例示されていないコンポーネント）のうちの様々なコンポーネントと統合され得、それらの全ては本発明の範囲内であるとみなされる。例えば、（管理サーバ３０２の１又は複数のコンポーネント、特徴又は態様を含み得る）ｗｅｂサーバが、医療機器３０４に統合され得、ブラウザ３４６によってアクセス可能であり得、及び、１又は複数の他の医療機器３０８を管理するために使用され得る。医療機器３０４がこのようにｗｅｂサーバを含む状況の実施形態は、例えば、２０１４年３月１４日にＢｒｏｗｎらにより出願された、米国特許出願公開第２０１４／０２６６７９４号明細書「ＰＡＴＩＥＮＴ  ＭＯＮＩＴＯＲ  ＳＣＲＥＥＮ  ＡＧＧＲＥＧＡＴＩＯＮ」に開示されており、あらゆる目的に対して、その内容全体が参照によって本明細書に組み込まれるものとする。
【０１４７】
上述のように、本発明の実施形態は、多数の医療機器、及び／又は、それらから受信される情報の遠隔管理を容易にするよう構成される管理サーバを提供する。図４は、本発明の実施形態による医療機器の管理を容易にする例示的な方法４００を示すフロー図である。図４に示されるように、方法４００の実施形態は、医療機器（例えば、図１に示される医療機器１０２、１０４、及び／又は１０６、及び／又は、図３に示される医療機器３０４及び３０８）により実行され得て、電源オン（ブロック４０２）及び自己診断手順を開始すること（ブロック４０４）を含み得る。実施形態において、医療機器は、プログラムされたスケジュールに従って、１つのバッテリ又は複数のバッテリの装着の際に、電源オン（つまり、電源が入れられる）の際に、及び／又は、ユーザ入力を受信する際に等、定期的に自己診断手順を開始するよう構成され得る。
【０１４８】
実施形態において、自己診断手順は、任意の数の異なる機能及び／又は特徴等を診断するよう構成され得る。図４に示されるように、例示的な方法４００は、患者インターフェースコンポーネントを診断すること（ブロック４０６）と、１つのバッテリ（又は複数のバッテリ）を診断すること（ブロック４０８）とを含む。自己診断手順から得られる機器の準備情報を使用して、機器の状態ファイルが生成され、ローカルメモリコンポーネント内に保存される（ブロック４１０）。実施形態によると、必要な場合には、安全かつ効果的に動作できるように、自己診断手順は、患者インターフェースコンポーネント、バッテリ、及び／又は、通信コンポーネント等の能力を検証するための任意の数の異なるプロトコル及び手順を含み得る。
【０１４９】
実施形態によると、患者インターフェースコンポーネントは、患者とのインタラクションを容易にするよう構成されるあらゆる種類のコンポーネント（例えば、処置提供コンポーネント、センシングコンポーネント、及び／又は、通信コンポーネント等）を含み得る。例えば、ＡＥＤである、又はＡＥＤを含む医療機器の場合、自己診断手順は、除細動電極が機器に適切に接続されていることを検証し、ＥＣＧ信号の取得及び電子機器を処理することが機能することを検証し、除細動器の電子機器が機能し、所定のレベルに充放電を行うことが可能であることを検証し、マイクロプロセッサ電子機器、及びソフトウェアの完全性の適切な機能を検証し、ＣＰＲモニタリングリング及び胸部圧迫深さ検知が機能することを検証し、音声誘導及び／又は視覚インディケータが機能することを検証し、バッテリの電池容量が十分残っているかを検証し、及び／又は、除細動電極に使用可能な電池残量が十分残っているかを検証する、等を含み得る。
【０１５０】
図４に示されるように、方法は更に、サーバに接続すること（ブロック４１２）、及び、ファイルをサーバに転送すること（ブロック４１４）を含み得る。サーバは、例えば、図１に示される管理サーバ１０８及び／又は収集サーバ１１６、及び／又は、図３に示される管理サーバ３０２であり得、又はそれらに類似のものであり得る。任意で、医療機器は、ファイルをサーバに転送した後に電源をオフする（ブロック４１６）よう構成され得る。例示的な方法４００の実施形態はまた、臨床イベントの発生を判断すること（ブロック４１８）、その臨床イベントの発生を判断することに応答して、記録を開始すること（ブロック４２０）を含み得る。実施形態において、医療機器は、任意の数の異なる種類の臨床イベント情報（例：心拍数、血圧、体温、呼吸数、血中酸素値、呼気終末二酸化炭素濃度値、肺機能、血糖値、体重、及び／又は心電図、等）を記録するよう構成され得る。医療機器は、いつ臨床イベントが終了したかを決定し（ブロック４２２）、記録を停止し（ブロック４２４）、臨床イベントファイルを生成し保存する（ブロック４２６）。臨床イベント情報を含む臨床イベントファイルは、別の通信及び／又は同様のもので、機器の状態ファイルと共に、サーバに転送され得る（ブロック４１４）。
【０１５１】
図５は、本発明の実施形態による動作環境５００の例示的なオペレーションを示す、概略的なブロック図である。図５に示されるように、動作環境５００は、収集サーバ５０４に通信可能に結合されている医療機器５０２（例えば、ＡＥＤ）を含む。医療機器５０２は、例えば、図１に示される医療機器１０２、１０４及び／又は１０６、及び／又は、図３に示される医療機器３０４及び／又は３０８（又は、これらに類似）であり得、収集サーバは、例えば、図１に示される収集サーバ１１６（又は、それに類似）であり得る。実施形態において、医療機器５０２は、１又は複数のバッテリ、及び／又は、１又は複数の患者インターフェースコンポーネント（例えば、電極）等の状況を評価するために、周期的な自己診断を実行するよう構成され得る。自己診断の結果は、機器の準備情報として、医療機器５０２上のローカルメモリに格納され得る。機器の準備情報は、例えば、自己診断の日時、実行される自己診断の種類、及び／又は、自己診断の結果を含み得る。
【０１５２】
医療機器５０２は、機器の準備情報５０６と臨床イベント情報５０８とを収集サーバ５０４に通信するよう構成される。収集サーバ５０４は、例えば、医療機器５０２の地理的な場所に依存しない、クラウド上にホストされるＳａａＳ（ｓｏｆｔｗａｒｅ−ａｓ−ａ−ｓｅｒｖｉｃｅ）実装であり得る。医療機器５０２はまた、収集サーバ５０４に対して、性能データ、保守ログ、機器識別子（ＩＤ）、及び／又は、機器のシリアルナンバ等を通信し得る。実施形態において、医療機器５０２はグローバルポジショニングシステム（ＧＰＳ）、又は、他の位置特定技術を含み得、位置情報を収集サーバ５０４に通信し得る。他の実施形態において、医療機器５０２は、ＧＰＳ又は他の位置特定技術を含まず、その場合、場所情報が収集サーバ５０４に通信されない。実施形態において、機器ＩＤは、そのテキスト内に医療機器５０２の位置に関する情報を、含むよう構成され得る。実施形態において、様々な種類の情報が、医療機器５０２から収集サーバに、機器履歴ファイル（ＤＨＦ）５１０として送信され得る。ＤＨＦ５１０は、例えば、ある専用のファイルフォーマットを使用して構成され、標準 的なＨＴＴＰ／ＳＳＬを経由して通信されるファイルであり得る。実施形態によると、ＤＨＦ５１０は、任意の数の異なるフォーマットを使用して構成され得、任意の数の異なる通信プロトコルを使用して通信され得る。
【０１５３】
実施形態によると、医療機器５０２は、任意の数の様々な方法で収集サーバ５０４と通信を開始し得る。例えば、医療機器５０２は、手動で（例えば、医療機器５０２へのユーザ入力に応答して）、及び／又は、自動で（例えば、所定のスケジュールに従って、イベント等に応答して、等）、通信を開始し得る。自動構成において、医療機器５０２は、ＤＨＦ５１０を受信すると、及び／又は、任意の他の構成されたスケジュールに従って、定期的に収集サーバ５０４とセッションを開始しようと試みるよう構成され得る。実施形態において、医療機器５０２が収集サーバ５０４との通信の確立に失敗した場合、医療機器５０２は、電源をオフにして、スケジュールに従って通信を再び開始することを試みるのを待つ前に、通信の開始をある特定の回数再試行するよう構成され得る。
【０１５４】
示されるように、収集サーバ５０４は、医療機器５０２からＤＨＦ５１０を受信するよう構成される通信コンポーネント５１２と、ＤＨＦ５１０をパースするよう構成されるパースコンポーネント５１４と、データベース５２０にパースされた情報５１８を保存するよう構成されるインデクシングコンポーネント５１６とを含む。データベース５２０は、リレーショナルデータベース、表形式データベース、及び／又は、多次元データキューブ等を含み得る。更に、データベース５２０は、１又は複数のメモリコンポーネント、及び／又はコンピュータ等にわたって分散された１又は複数のデータベースを表し得る。実施形態によると、収集サーバ５０４は、医療機器５０２に問い合わせを行うよう構成され得、及び／又は、通信する医療機器のレジストリを保持し得るが、他の実施形態においては、収集サーバ５０４は、医療機器に問い合わせを行わず、及び／又は、通信する医療機器のレジストリを保持しない。特定の医療機器５０２に関連する情報は、機器ＩＤ、及び／又は、その医療機器５０２に対応するシリアルナンバに応じて、インデックスされ得る。実施形態において、収集サーバ５０４は、データベース５２０を、その中に含まれる情報をパージすることなく構築し続け得るが、他の実施形態においては、収集サーバ５０４は、データベース５２０からの情報を連続的又は定期的にパージし、新しい情報のための余地を作り得る。
【０１５５】
図５に示されるように、動作環境５００はまた、管理サーバ５２２を含み、管理サーバ５２２は、ユーザ機器５２４を介して、医療機器５０２から取得した情報へのユーザアクセスを容易にするよう構成され得る。管理サーバ５２２は、図１に示される管理サーバ１０８及び／又は収集サーバ１１６、及び／又は、図３に示される管理サーバ３０２であって（又は、それらと類似していて）よい。実施形態において、管理サーバ５２２は、様々な医療機器５０２の遠隔保守、モニタリング、及び／又は管理を容易にする。実施形態に示されるように、管理サーバ５２２は医療機器５０２と直接通信せず、収集サーバ５０４を経由してのみ医療機器５０２から情報を受信する。他の実施形態において、管理サーバ５２２は医療機器５０２と直接通信するよう構成され得る。
【０１５６】
管理サーバ５２２は、収集サーバ５０４を介し、任意の数の異なる方法で、医療機器５０２から情報を取得するよう構成され得る。例えば、管理サーバ５２２は、特定のクエリ（例えば、機器固有のクエリ）を介してインデックスされた情報５２８を取得するよう構成されるクエリコンポーネント５２６を含み得る。クエリコンポーネント５２６は、ユーザ入力（例えば、ユーザ機器５２４を介して受信される）に応答して、自動的に、及び／又は、構成されたオプションに従って、等、データベース５２０にクエリするよう構成され得る。実施形態において、収集サーバ５０４は、例えば、収集サーバ５０４により情報が受信された時はいつでも、定期的に、及び／又は、不合格となった自己診断に関連する情報が受信された時はいつでも、等の構成されたオプションに従って、データベース５２０から管理サーバ５２２へインデックスされた情報５２８を送信するよう構成され得る。 信頼性を高めるため、管理サーバ５２２及び／又は収集サーバ５０４は、特定の医療機器５０２に関して受信されるはずの情報が受信されないというイベントにおいて、アラートをユーザ機器５２４に提供するよう構成され得る。このアラートは、電子メール、及び／又は、ポップアップスクリーン等の形式で提供され得る。
【０１５７】
管理サーバ５２２は機器ダッシュボード５３０を含み得、機器ダッシュボード５３０は、ユーザ機器５２４を介してユーザがインタラクトすることが出来るグラフィカルユーザインターフェース（ＧＵＩ）５３２を提供するよう構成される。機器ダッシュボード５３０は、データベース５３４とインタラクトし、特定のユーザ、ユーザ機器、及び／又は、医療機器群等に関連するアカウント情報５３６を、格納、取得、及び／又は、操作するよう構成され得る。オペレーションにおいて、例えば、ユーザは、ユーザーネーム及びパスワードを使用して、機器ダッシュボード５３０によって提供されるサービスにログインすると、そのユーザに登録されている医療機器５０２に関連する情報が提供される。機器ダッシュボード５３０は、医療機器を登録し、全体的なコンプライアンスを表すダッシュボードの特徴（例えば、全ての登録医療機器の保守状態）を閲覧し、保守診断をログし、複数の医療機器及びそれらが配置されているサイトに関する情報を閲覧及び編集することを、顧客が行えるように構成され得る。実施形態において、管理サーバ５２２は、複数の医療機器が配置されている様々なサイトに対応する機器管理のための、役割に基いたシステムを提供する。
【０１５８】
更に図５に示されるように、例示的な動作環境５００は、データベース５２０と１又は複数のシステム又は機器の間のインタラクションを容易にするよう構成される統合コンポーネント５３８を含む。例えば、示されるように、統合コンポーネント５３８はインデックスされた情報５２８（例えば、臨床イベント情報）を電子カルテ（ＥＭＲ）システム５４０及び／又は管理システム５４２等に提供するよう構成され得る。ＥＭＲシステム５４０は、任意のＥＭＲシステム、及び／又は、複数のＥＭＲシステムの組み合わせ等であり得る。実施形態において、管理システム５４２は、例示的な動作環境５００の実施形態の１又は複数の態様を管理するよう構成されるシステムであり得る。例えば、管理システム５４２は、管理サーバ５２２、収集サーバ５０４及び／又は医療機器５０２等を管理し、ホストし、及び／又はそうでなければ、提供するエンティティに関連し得る。管理システム５４２の実施形態は、品質コントロール、ソフトウェアアップデート、構成アップデート、及び／又は、法令順守等を容易にし得る。
【０１５９】
図５に示される例示的な動作環境５００は、本発明の実施形態の使用又は機能の範囲に関して、いかなる限定を示唆することを意図するものではない。例示的な動作環境５００は、本明細書に例示される任意の単一のコンポーネント又は複数のコンポーネントの組み合わせに関する任意の依存性又は要件を有すると解釈されるべきではない。更に、図５に示される又は本明細書に記載のコンポーネントのうちの任意の１つ又は複数は、実施形態において、その中に図示される他のコンポーネント（及び／又は図示されていないコンポーネント）のうちの様々なものと統合され得、それらの全ては本発明の範囲内であるとみなされる。
【０１６０】
図６は、本発明の複数の実施形態による、１又は複数の医療機器を含む例示的なデータ共有システム６００を示す。図６に示されるように、医療機器６０２／６０４のそれぞれには、プロセッサ６０８、メモリ６１０、及び、ディスプレイ６１２が設けられる。特定の実施形態において、医療機器６０２／６０４のうちの１又は複数は、患者モニタリング除細動器、又は、自動体外式除細動器であり得る。更に、医療機器６０２／６０４のそれぞれに、電力のために１又は複数のバッテリ６１４が任意で設けられ得る。更に、図３を参照して上述されたように、医療機器６０２／６０４のそれぞれに、１又は複数の除細動電極（パッド）、及び／又は、１又は複数の注入針等などの患者インターフェースコンポーネント（図示せず）が設けられ得る。医療機器６０２／６０４のそれぞれにまた、プロセッサ６０８が設けられ得る。プロセッサ６０８は、例えば通信コンポーネント６１８と共に、医療機器６０２／６０４、及び／又は、一方向又は双方向であり得るクラウドベースのネットワーク６０６の間の通信を提供するよう構成される。従って、医療機器６０２は医療機器６０４と直接通信することが出来（また、その逆も同様）、又は、クラウドベースのネットワーク６０６を介して医療機器６０４と通信することが出来る。
【０１６１】
医療機器６０２／６０４のいずれか一方は、救急医療イベントの第１部分の間において使用され得る。特定の例において、救急医療イベントの第２部分のは、救急医療イベントの第１部分の後に発生する。例えば、救急医療イベントの第１部分は、最初の対応者（緊急対応状況における訓練の経験が少ししかない、又は全くない人、等）が患者を支援するように特徴付けられ得る。他の例において、救急医療イベントの第１部分は、救急医療イベントに対応する訓練された医療機器作業員として特徴付けられ得る。医療機器６０２及び医療機器６０４のいずれか一方は、救急医療イベントの第２部分において使用され得る。救急医療イベントの第２部分は、例えば、最初の対応者の後に、ＥＭＴがその救急医療イベントに従事する、又は、そのＥＭＴ及び／又は最初の対応者の後に、病院の医師がその救急医療イベントに従事する状況として特徴付けられ得る。
【０１６２】
潜在的な救急医療イベントにおいて、（第１の）医療機器６０２は、患者をモニタリングし、そのメモリ６１０に第１の臨床情報を格納するよう構成される（そのようなメモリは、機器６０２上、ネットワーク化された機器上、又はその両方にあり得、及び／又は、機器６０２を含む、若しくは含まない複数の機器にわたって分散され得る）。  （第２の）医療機器６０４は、患者をモニタリングし、そのメモリ６１０に患者に関する第２の臨床情報を格納するよう構成される（そのようなメモリは、機器６０２上、ネットワーク化された機器上、又は、その両方にあり得、及び／又は、機器６０２を含む、若しくは含まない複数の機器にわたって分散され得る）。制御モジュール６１６は、（第１の）医療機器６０２及び（第２の）医療機器６０４、又は任意でクラウドベースのネットワーク６０６に、設けられる、若しくは、それらを提供される。（第２の）医療機器６０４を設けられた制御モジュール６１６は、（第１の）医療機器６０２及び（第２の）医療機器６０４が同じ救急医療イベントの間に同じ患者に対して使用される、というインディケーションを受信するよう構成される。このインディケーションについては、図７を参照して更に詳細に説明される。インディケーションに基づいて、（第１の）医療機器６０２上に格納されるような第１の臨床情報へのアクセスは、（第２の）医療機器６０４により確立される。このアクセスの結果として、（第２の）医療機器６０４は、そのディスプレイ６１２上に、救急医療イベントの間の第１の臨床情報のうちの少なくとも一部を表示することが許される。更に、（第２の）医療機器６０４はまた、第１の臨床情報に基づいて、（第２の）医療機器６０４のオペレーションを変更し得る。更にまだその上に、（第２の）医療機器６０４はまた、（第２の）医療機器６０４のメモリ６１０に第１の臨床情報を格納し得る。（第２の）医療機器６０４はまた、クラウドベースのネットワーク６０６を介して、第１の臨床情報を遠隔データベースに通信し得る。
【０１６３】
制御モジュール６１６はまた、（第２の）医療機器６０４に、（第１の）医療機器６０２に設けられたメモリ６１０へのアクセスを提供するよう構成される。特定の実施形態において、臨床情報は、（第１の）医療機器６０２及び（第２の）医療機器６０４によって、第１のメモリ及び第２のメモリにそれぞれ格納され得る。第１のメモリ及び第２のメモリは、同じメモリ機器（図６に示されるメモリ６１０など）の一部であり得る。特定の実施形態において、第１のメモリ６１０は（第１の）医療機器６０２上に設けられ、第２のメモリ６１０は（第２の）医療機器６０６上に設けられる。クラウドベースのネットワーク６０６はまた、臨床情報を格納する第１及び第２のメモリを含み得る。このような実施形態において、（第１の）医療機器６０２及び（第２の）医療機器６０４は、クラウドベースのネットワーク６０６を介して無線で通信可能に結合される。
【０１６４】
特定の実施形態において、医療機器６０２／６０４はまた、複数の機器のクロックをインディケートするデータを通信するよう構成される。このように、医療機器６０２／６０４は、収集及びログされたデータが同じリファレンスクロックを含むよう、データ伝送を調整することが出来る。医療機器６０２／６０４の複数のクロックのそれぞれを同期させることは、データエントリの欠損又は重複による潜在的なエラーを最小限に抑える。複数の機器クロックのタイムスタンピング及び同期させることに関する議論については更に、２０１３年２月２８日に公開された、米国特許出願公開第２０１３／００４９９５６号が参照され得、あらゆる目的に対して、その内容全体が参照によって本明細書に組み込まれるものとする。
【０１６５】
上述のように、医療機器６０２／６０４は互いの間で直接、無線で通信することが出来、またクラウドベースのネットワーク６０６を介し無線で通信することが出来る。このようにウェブサーバがまた、クラウドベースのネットワーク６０６にアクセスすることが出来る。更に、医療機器６０２／６０４はまた、ウェブブラウザを含み得る。従って、通信は、医療機器６０２／６０４の１又は複数と、ウェブサーバとの間に、クラウドベースのネットワーク６０６を介して発生し得る。このように、ウェブサーバに接続される訓練された専門家が、医療機器６０２／６０４のうちの１又は複数に設けられたウェブブラウザを介して医療的緊急事態に応答することを通じて、一般市民をガイドすることが出来る。ウェブサーバとウェブブラウザとの間の接続を可能にすべく提供され得る、ウェブソケット接続に関する議論については更に、例えば、２０１４年３月１４日にＢｒｏｗｎらにより出願された、米国特許出願公開第２０１４／０２６６７９４号「ＰＡＴＩＥＮＴ  ＭＯＮＩＴＯＲ  ＳＣＲＥＥＮ  ＡＧＧＲＥＧＡＴＩＯＮ」に開示されており、あらゆる目的に対して、その内容全体が参照によって本明細書に組み込まれるものとする。
【０１６６】
図７は、本発明の複数の実施形態による、１又は複数の医療機器からのデータ受け渡しの例示的な方法を示すフロー図７００である。ブロック７０２に示されるように、第１の医療機器は電源オンである。これは、遠隔での緊急対応状況の間、又は、病院での緊急対応状況の間に発生し得る。ブロック７０４に示されるように、第１の医療機器は、患者をモニタリングすることを通して、臨床情報を収集及び格納する。ブロック７０６に示されるように、第２の医療機器は電源オンである。この点において、第１の医療機器と第２の医療機器との近接度は、ブロック７０８および７１０に示されるように判定される。医療機器のそれぞれの近接度は、多数の方法で判定され得て、医療機器のそれぞれが同じ位置に設けられ、同じ患者に対して動作可能であることを判定するセーフガードとして提供される。例えば、特定の実施形態において、医療機器は、Ｂｌｕｅｔｏｏｔｈ（登録商標）又は他の無線周波数信号を交換すると、近接度を判定する（例えば、図６を参照して上述された制御モジュールの使用を含む）。他の実施形態において、医療機器の近接度は、第１の医療機器及び第２の医療機器のそれぞれからのグローバルポジショニングシステム（ＧＰＳ）信号を受信すると、判定される。更に、他の実施形態において、近接度は、第１の医療機器及び第２の医療機器のそれぞれが共有ローカルエリアネットワーク（ＬＡＮ）に接続されていることに応答して判定され得る。
【０１６７】
ブロック７１２および７１４に示されるように、医療機器が互いに近くにあるとの判定に応答して、機器のうちの１又は複数がインディケーションの発生を誘導する。インディケーションは、複数の医療機器のディスプレイ上に視覚的に発生、又は、機器に設けられたスピーカから聴覚的に発生し得る。確認のためのインディケーションは、医療機器が接続に対して認証されていることを確実にする。認証は、両方の医療機器が、データを収集し及び／又は同じ患者に対して動作していることを意味し得る。機器が同じ患者に対して動作していない場合、臨床情報の交換は意図された機能を提供し得ない。更に、２より多くの医療機器が、緊急事態（又は、病院）において存在し得る。従って、インディケーションは、機器オペレータによる正しい臨床情報が交換されるかのチェックを可能にする。このようなインディケーションは、可視コード（例えば、両方の機器が同じ組み合わせの光、又は、同じ組み合わせの光の色を示す）、画像等の可視ビーコン、両方の機器が同じ色の光を示す等の可視光、鍵コードについての誘導、可聴誘導、及び／又は、患者の指紋、若しくは、免許証、又は、正しい臨床データが機器間で交換されることを確実にする他の固有の識別情報をスキャンする、などの患者特有の入力であり得る。
【０１６８】
医療機器は、ブロック７１６に示されるように、複数の医療機器上でインディケーションが一致した後に、アクセスを提供する。ブロック７０８−７１４の周囲の点線は、２つの医療機器をペアリングする認証ステージを表す。複数の機器が互いに近くにない場合、又は、インディケーションが一致しない場合、医療機器はペアリングせず、アクセスは提供されない。次に、ブロック７１８に示されるように、臨床情報の転送が発生し得る。
【０１６９】
上述のように発生し得る機器のペアリングに対して、追加的又は代替的に、遠隔サーバ又は「クラウド」を介して達成される臨床イベントデータの受け渡しはまた、自動的に、及び／又は、ペアリング又は医療機器のユーザによる他の介入がある場合又はない場合に、発生し得る。患者に関するデータは、第１の機器１０２により集められ得、サーバ（例えば、サーバ１０８及び／又は１１６）上で利用可能とされ得る、又は、格納され得る。データセットは、１又は複数のインディケーション若しくはフィールド、又は、他の関連事項を含み、それにより患者を特定し、データセットが収集された時間を特定し、データセットが収集された位置を特定し、及び／又は、データ収集、若しくは、データエントリに関連した個人、又は１又は複数のクルーメンバの特定をする。第２の機器１０４は、同じ医療的イベントの間に同じ患者に対して使用されることが意図される場合、例えば、第２の機器１０４は、患者を特定する情報、（例えば、クエリがサーバに送られる）時間に関する情報、第２の機器１０４の位置に関する情報、及び／又は、第２の機器１０４に関連した、又はそれを使用している個人又はクルーメンバを特定する情報、のうちの１又は複数を遠隔サーバに送信することによって、遠隔サーバにクエリし得る。サーバ（例えば、１０８）は、情報の１又は複数のそのようなデータポイント又は種類と、格納された臨床イベントデータを一致させるよう試み得る。サーバが一致を識別すると、サーバはその格納された臨床イベントデータを（第１の機器１０２から）取り出し、それを第２の機器１０４に送信する。患者情報は、患者の名前、社会保障番号、運転免許証番号、又は、患者に関する任意の他の固有の識別情報を含み得、このような情報は、（例えば、第１の機器１０２及び／又は第２の機器１０４、又は、何らかの他の機器を介して）自動で及び／又は手動で入力されサーバにクエリし得る。位置情報は、ＧＰＳシステム又は他のナビゲージョンシステム又は測位システムにより供給され得る。クルーの識別情報は、手動でのデータエントリにより、又は自動的に（例えば、無線周波数識別（ｒａｄｉｏ  ｆｒｅｑｕｅｎｃｙ  ｉｄｅｎｔｉｆｉｃａｔｉｏｎ）を介して）供給され得、時間情報はクロック又はクロック信号によって提供され得る。
【０１７０】
言い換えれば、サーバによって機器１０２から受信されるデータが、患者Ｐ、時間Ｔ、位置Ｌ、及び、臨床データセットに対するクルーメンバＣをインディケートする場合、かつ、時間Ｔにおいて患者Ｐに対して、又は、時間Ｔ及び位置Ｌにおいて、又は、時間ＴにおいてクルーメンバＣにより、機器１０４が使用されていることをインディケートするサーバに機器１０４がクエリする場合、サーバはこの一致に基づき、臨床データセットを機器１０４に送信し、受け渡しを完了し得る。代替的に、このような一致は、Ｐ、Ｔ、Ｌ、Ｃ又はデータセット内の他の要素とのいずれか１つまたは複数の相関性により特定され得る。正確な一致又は直接の相関性がサーバにより観察されない場合であっても、機器１０２からのデータが機器１０４に送信されることを可能にするほど十分強い相関性をサーバは特定し得る。例えば、データセットは機器１０４によってインディケートされる時間よりも２時間前である時間Ｔにおいて、患者Ｐから収集されたデータセットであり、そのとき同じ患者Ｐを治療するために機器１０４が使用されている。データセットをクエリすることに代わり、サーバ自体が、その通信トラフィックを観察することによって、２つの機器が大体同じ時間に、同じ患者に対して使用されているかどうか判定出来得る。代替的に、サーバは、複数の臨床データセット同士を比較し、特定の患者を一意に特定することをインディケートするほどデータセット間の相関性が十分強いかどうか判定することにより、必要な相関性を特定するよう構成され得る。これは、ニューラルネットワーク、学習アルゴリズム、データセット比較、及び、当該技術分野において公知の他のデータ解析方法で達成され得る。例えば、機器１０２により観察される時間Ｔ１における患者のＥＣＧ信号は、機器１０４により観察される時間Ｔ２における患者のＥＣＧ信号と非常に類似している可能性があるので、サーバは、２つの機器１０２および１０４が、大体同じ時間に、同じ患者に対して使用されている、又は、使用されていたと認識し、従って、１つの機器により収集された臨床イベントデータの他方の機器への転送、及び／又は、その逆を（例えば、自動で及び／又は確認の後に）開始する。
【０１７１】
本明細書で議論されるように、臨床情報は、異なる製造元の機器でも互換性があるようなプロトコルを使用して転送され得る。このようなプロトコルは、ＮＥＭＳＩＳ、又は病院若しくは緊急医療データ等のための任意の他のタイプのデータ規格を含み得る。
【０１７２】
図６及び７において更に示されるように、臨床データは、例えば救急医療イベントなどの医療的イベントの間に、第１の医療機器６０２から第２の医療機器６０４へ受け渡され得る。これは機器同士で直接、及び／又は、ネットワーク６０６を介して行われ得る。複数の実施形態によると、これを実行するための命令及び／又は処理リソースは、第１の医療機器６０２、第２の医療機器６０４、ネットワーク６０６内のサーバ（例えば、３０２）、及び、そうでなければネットワーク６０６に通信可能に結合されたデータベース（例えば、３３６）、のうちの１つ、又はそれらの２若しくはそれより多くの組み合わせに含まれ得る。
【０１７３】
いくつかの実施形態において、第１の医療機器６０２は、患者に装着され、又は通信可能に結合されており、医療的イベントの間の患者に関する臨床情報を生成し、収集し、及び／又は、記録する。同じ医療的イベントの間、第２の医療機器６０４が患者をモニタリングするために使用される場合、例えば、最初にＡＥＤが患者に使用され、その後ＥＭＳクルーがＡＬＳモニタ／除細動器と共に到着し、それらがＡＥＤの代わりに用いられる場合、第２の医療機器は同じ医療的緊急事態の間に同じ患者に対して使用されることが意図されるという事実が、インディケートされる、及び／又は、確認される。これは、第１の医療機器及び第２の医療機器のうちの１つの又は両方のスクリーン上の視覚的インディケーションを介して、及び／又は、聴覚的な信号若しくは他のペアリング機構を介して行われ得る。実施形態によると、これは、第１の医療機器により集められた任意の臨床データが、正しい第２の医療機器に関連付けられ、及び、表示され、又は、使用されることを確実にする。
【０１７４】
適切な第１の医療機器と適切な第２の医療機器との間の関連付けが一度確認されると、以下のうちの１又は複数が医療的イベント（同じ医療的イベント）の間で実行され得る。
（ａ）第２の医療機器上の（例えば、ディスプレイ３２２上の）臨床情報のうちの少なくとも一部を表示すること、
（ｂ）臨床情報のうちの少なくとも一部から導き出された情報を第２の医療機器上に表示すること、
（ｃ）臨床情報に基づいて第２の医療機器のオペレーションを変更すること、及び、
（ｄ）第２の医療機器又は遠隔データベース（例えば、３３６）内に臨床情報を格納すること。
【０１７５】
いくつかの実施形態によると、これら４項目のうちの２項目若しくはそれより多くは、医療的イベントの間に実行され得、又は、他の項目に加えて、及び／又は、その代わりに、３項目若しくはそれより多く、又は４項目全ても実行され得る。
【０１７６】
いくつかの場合には、臨床情報は医療的イベントの第１部分の間に生成され（例えば、患者が心停止の症状を経験しているとき、患者が心停止になる前、又は、心停止の最中）、及び、第２の医療機器は医療的イベントの後続の部分の間に患者をモニタリングするために使用される。臨床情報のうちの少なくとも一部から導き出された情報を第２の医療機器上に表示することは、第２の医療機器上に、以下のうちの１又は複数（及び／又は、２若しくはそれより多く、又は、３若しくはそれより多く）を表示することを含み得る。それらは、第１の医療機器が患者のモニタリングを始めたときの心拍リズムを示す表現の表示、患者が心停止になる直前の心拍リズムを示す表現の表示、及び、患者の心臓に対して電気ショックを実施した後の時間における患者の心拍リズムの表現の表示、である。多くの場合、ＥＭＳ技術者又は救急医は患者が既に心停止になっている医療的緊急事態の場面に到着し、多くの場合、存在していた心拍リズムはどうであったか、どの心拍リズムが心停止を引き起こしたか若しくはその直前に存在したか、及び／又は、（ＡＥＤが患者に対して使用された状況において）１又は複数の電気ショックの後に、どのように心拍リズムが応答したかを判定することが出来ない。本発明の実施形態によると、第２の機器を第１の機器（例えば、ＡＥＤ）とペアリングすること、及び、第１の機器により集められた臨床情報を、第２の機器が本明細書に記載の方法で使用することが出来ることにより、ＥＭＳ技術者がこの情報を第２の機器でレビューし、変更し、又は、臨床決断支援、若しくは、第２の機器により使用される他のアルゴリズムを情報提供し、第２の機器上に臨床データから導き出された情報を表示し、及び／又は、臨床データを第２の機器及び／又は遠隔データベース（例えば、３３６）に格納することが可能となる。
【０１７７】
いくつかの場合には、医療的イベントの間、患者に対して第２の医療機器が使用されることの確認は更に、第１の医療機器及び第２の医療機器が近接して配置されているというインディケーションを、第１の医療機器及び第２の医療機器のうちの少なくとも１つ上に提供することを含む。これは、例えばビーコンタイプの又は他の近接信号などの無線周波数信号の交換を介して発生し得る。
【０１７８】
いくつかの実施形態によると、臨床情報は、医療的イベントの間の患者への心肺蘇生法（ＣＰＲ）の実施について詳述する。このようなＣＰＲに関する臨床情報は、胸部圧迫メトリックなどのＣＰＲ品質に関する情報、及び／又は、ＣＰＲ実施の開始時間、ＣＰＲ実施の終了時間、ＣＰＲ実施の継続期間、及び、胸部圧迫タイミングのうちの１又は複数を含むＣＰＲ時間のインディケーションを有し得る。このような臨床データをＡＥＤからＡＬＳモニタ／除細動器へ受け渡さなければ、ＥＭＳ技術者は多くの場合、ＣＰＲの実施の有無及びＣＰＲ品質の高低を判断することは出来ない。仮にこのようなデータがＡＥＤ又は他の断続的に使用された医療機器により集められたとしても、そのような機器は、多くの場合、そうした情報を、又は、そうした情報を同じ緊急事態の間に役に立つレベルの深さで、提示又は表示することが出来ない。実施形態によると、第２の医療機器自体は、同じ緊急事態のより早い段階において臨床データを収集するために使用されてはいないものの、この臨床データを第２の医療機器で閲覧又は使用することが出来ることにより、ＥＭＳ技術者は追加の治療プロトコルの種類及びタイミングに関してよりよい決定をすることが可能となる。また、ＥＣＧ又は他の臨床データの受け渡しが出来ることにより、更なる決定をする前の、ある一定の期間、新しいセットの臨床データをとる必要がないので、ＥＭＳ技術者は貴重な時間を節約することが出来る。
【０１７９】
本発明の実施形態によると、上述されたこのような考慮及び機能はまた、例えば、ＡＬＳモニタ／除細動器と、病院ベースのモニタ／除細動器との間の臨床データの受け渡しに対して等しく適用し得る。例えば、臨床データはＡＥＤから携帯型ＡＬＳモニタ／除細動器に受け渡され得、次に、追加臨床データが生成されて第１の臨床データに追加され得、両方の臨床データのセットは次に、ＡＬＳモニタ／除細動器から、定置型若しくは病院ベースの、又は他の追加的なモニタ／除細動器に受け渡される。このようなシナリオにおいて、病院で担当する医師は、医療的イベントの始まりにおいて最初にＡＥＤにより集められた臨床情報を、病院用の設定である１又は複数の機器上で、閲覧又は使用することが出来る。
【０１８０】
本開示の範囲から逸脱することなく、記載された複数の例示的な実施形態に対して、様々な変更及び追加を行うことが出来る。例えば、上述の実施形態は特定の特徴を指すが、本開示の範囲はまた、複数の特徴の異なる組み合わせを含む実施形態、及び、説明された全ての特徴を含まない実施形態も有する。従って、このような全ての代替例、変更例、及び変形例は特許請求の範囲に含まれるものであり、それらの全ての均等例と共に、本開示の範囲に包含されることを意図する。
【図１】
2018509995.tif 000008
【図２】
2018509995.tif 000009
【図３】
2018509995.tif 000010
【図４】
2018509995.tif 000011
【図５】
2018509995.tif 000012
【図６】
2018509995.tif 000013
【図７】
2018509995.tif 000014
【図８】
2018509995.tif 000015
【国際調査報告】
2018509995.tif 000016